(57)【要約】【課題】　遊技機本体等の非交換体に遊技盤等の交換体を封止した封止状態とその解除状態を識別できるようにして、その封止が不正に解除されたことをいち早く発見して対処できるようにする。【解決手段】　本発明は、遊技機本体２等の非交換体に遊技盤１等の交換体を着脱自在に固定している遊技機において、前記遊技機本体２等の非交換体に遊技盤１等の交換体を封止する封止部Ｃと、この封止部Ｃによる封止状態とその解除状態を識別できるように光を発する照光部５３とを設けたことを特徴としている。【選択図】　図１９
2004105720.tif 000002
【特許請求の範囲】
【請求項１】
　非交換体に交換体を着脱自在に固定している遊技機において、
　前記非交換体と交換体とを封止する封止部と、この封止部による封止状態とその封止の解除状態を識別できるように光を発する照光部とを設けたことを特徴とする遊技機。
【請求項２】
　互いに重ね合わされている複数の交換体が非交換体に着脱自在に固定されており、それらの交換体のうち、非交換体に隣接する交換体が当該非交換体に封止されていることを特徴とする請求項１に記載の遊技機。
【請求項３】
　互いに重ね合わされている複数の交換体が非交換体に着脱自在に固定されており、それら交換体のうち、その非交換体に隣接していない交換体が非交換体に封止されていることを特徴とする請求項１に記載の遊技機。
【請求項４】
　非交換体に複数の交換体を封止しかつそれら複数の交換体の全部又は一部を共通の封印手段により封印していることを特徴とする請求項２又は３に記載の遊技機。
【請求項５】
　封止部は、非交換体の一部に形成された非交換体側係止部、交換体の一部に形成された交換体側係止部、並びにそれら非交換体側係止部及び交換体側係止部と係止することにより、上記交換体と非交換体又は交換体どうしを封止する封印用キーを有して構成されていることを特徴とする請求項１〜４のいずれかに記載の遊技機。
【請求項６】
　封印用キーの挿入を許容するキー挿入口が、互いに装着した非交換体と交換体の双方の所定位置に同軸的に対向して配設されており、
　非交換体のキー挿入口内に非交換体側係止部が形成され、かつ、交換体のキー挿入口内に非交換体側係止部が形成されており、上記封印用キーには、キー挿入口に挿入されたときに非交換体側係止部と係止する第１のキー側係止部と、交換体側係止部に係止する第２のキー側係止部とが形成されているとともに、照光部は、キー挿入口に挿入された封印用キーの挿入方向先端部に向けて光を発するようにした光源を備えていることを特徴とする請求項５に記載の遊技機。
【請求項７】
　封止部による封止を解こうとする力が加えられることにより、変形して開封の痕跡を残す開封残痕部を封印用キーに形成したことを特徴とする請求項５又は６に記載の遊技機。
【請求項８】
　交換体の外部から視認できる位置に設けた開封残痕部を含む複数の開封残痕部を有していることを特徴とする請求項７に記載の遊技機。
【請求項９】
　封印用キーは、光透過性の合成樹脂で形成されていることを特徴とする請求項５〜８のいずれかに記載の遊技機。
【請求項１０】
　封印用キーは、光非透過性の合成樹脂で形成されており、これの挿入方向後端部側に開封残痕部が形成されているとともに、挿入方向先端部に形成した開口から開封残痕部にかけて光通過孔を形成したことを特徴とする請求項５〜９のいずれかに記載の遊技機。
【請求項１１】
　開封残痕部の変形は、非交換体若しくは交換体の少なくとも一部又は封止部のうち、少なくとも１つのものが封止の解除に伴って破損することを含んでいることを特徴とする請求項７〜１０のいずれかに記載の遊技機。
【請求項１２】
　照光部の光源を、キー挿入口内に挿入された封印用キーの挿入方向先端部の開口に対向させて配置したことを特徴とする請求項６〜１１のいずれかに記載の遊技機。
【請求項１３】
　着脱自在に固定されている非交換体と交換体とを封印するための封印用キーを有する遊技機用の封印手段であって、
　前記非交換体と交換体とを封止する封止部と、この封止部による封止状態とその解除状態を識別できるように光を発する照光部とを設けたことを特徴とする遊技機を封印する遊技機用の封印手段。
【請求項１４】
　交換体の外部から視認できる位置に設けられているとともに、封止部による封止を解こうとする力が加えられることにより、変形して開封の痕跡を残す開封残痕部を含む複数の開封残痕部を封印用キーに形成したことを特徴とする請求項１３に記載の遊技機用の封印手段。
【発明の詳細な説明】
【技術分野】
【０００１】
　本発明は、例えばぱちんこ遊技機，ピンボールマシン又はスロットマシン等の各種遊技機に関し、特に、遊技機本体等の非交換体に遊技盤等の遊技に係る主要部をなす交換体を着脱自在に固定した構成の遊技機及び遊技機用の封印手段に関する。
【背景技術】
【０００２】
　従来、例えばぱちんこ機等の遊技機における本体枠への遊技盤の取り付けは、その遊技盤を例えば本体枠縁辺部にねじ等の公知の締結具で固定することが一般に行われている。
【０００３】
　また、この種の遊技機では、遊技盤を他の種類のものに交換できるようにして、該遊技機を他の機種仕様に容易に変更できるようにする技術が考えられる。
【発明の開示】
【発明が解決しようとする課題】
【０００４】
　しかしながら、上述の従来技術において、本体枠に固定した遊技盤が例えばメーカーの意図に反して勝手に該本体枠から取り外されて他の種類の遊技盤に交換できてしまうのでは、遊技機の同一性を保つことができず、メーカーの保証ができないという問題が生じる。
【０００５】
　また、不正の目的をもって遊技盤を密かに取替えられたのでは、遊技内容ばかりでなく出球等の利益状態が当初の意図と大きく異なるものとなって、メーカーのみならず、ホールや遊技者にとっても不利益になる。
【０００６】
　特に、遊技盤に「大当り」，「外れ」等の利益状態の抽選を行う制御基板が一体的に配設固定されている機種では、上記した出球等の利益状態が当初の意図と大きく異なってしまうという問題点がある。
【０００７】
　そこで本発明は、遊技機本体等の非交換体に遊技盤等の交換体を封止した封止状態とその解除状態を識別できるようにして、その封止が不正に解除されたことをいち早く発見して対処できる遊技機及び遊技機用の封印手段の提供を目的としている。
【課題を解決するための手段】
【０００８】
　前記した目的を達成するため、本発明は次の構成を有する。
　請求項１に記載した遊技機は、非交換体に交換体を着脱自在に固定しているものであり、前記非交換体と交換体とを封止する封止部と、この封止部による封止状態とその封止の解除状態を識別できるように光を発する照光部とを設けたことを特徴としている。
【０００９】
　請求項２に記載した遊技機は、互いに重ね合わされている複数の交換体が非交換体に着脱自在に固定されており、それらの交換体のうち、非交換体に隣接する交換体が当該非交換体に封止されているものである。
【００１０】
　請求項３に記載した遊技機は、互いに重ね合わされている複数の交換体が非交換体に着脱自在に固定されており、それら交換体のうち、その非交換体に隣接していない交換体が非交換体に封止されているものである。
【００１１】
　請求項４に記載した遊技機は、非交換体に複数の交換体を封止しかつそれら複数の交換体の全部又は一部を共通の封印手段により封印した構成になっている。
【００１２】
　請求項５に記載した遊技機は、封止部が、非交換体の一部に形成された非交換体側係止部、交換体の一部に形成された交換体側係止部、並びにそれら非交換体側係止部及び交換体側係止部と係止することにより、上記交換体と非交換体又は交換体どうしを封止する封印用キーを有して構成されている。
【００１３】
　請求項６に記載した遊技機は、封印用キーの挿入を許容するキー挿入口が、互いに装着した非交換体と交換体の双方の所定位置に同軸的に対向して配設されており、非交換体のキー挿入口内に非交換体側係止部が形成され、かつ、交換体のキー挿入口内に非交換体側係止部が形成されており、上記封印用キーには、キー挿入口に挿入されたときに非交換体側係止部と係止する第１のキー側係止部と、交換体側係止部に係止する第２のキー側係止部とが形成されているとともに、照光部は、キー挿入口に挿入された封印用キーの挿入方向先端部に向けて光を発するようにした光源を備えている。
【００１４】
　請求項７に記載した遊技機は、封止部による封止を解こうとする力が加えられることにより、変形して開封の痕跡を残す開封残痕部を封印用キーに形成している。
【００１５】
　請求項８に記載した遊技機は、交換体の外部から視認できる位置に設けた開封残痕部を含む複数の開封残痕部を設けた構成になっている。
【００１６】
　請求項９に記載した遊技機は、封印用キーが、光透過性の合成樹脂で形成されているものである。
【００１７】
　請求項１０に記載した遊技機は、封印用キーが、光非透過性の合成樹脂で形成されており、これの挿入方向後端部側に開封残痕部が形成されているとともに、挿入方向先端部に形成した開口から開封残痕部にかけて光通過孔を形成した構成になっている。
【００１８】
　請求項１１に記載した遊技機は、開封残痕部の変形が、非交換体若しくは交換体の少なくとも一部又は封止部のうち、少なくとも１つのものが封止の解除に伴って破損することを含んでいる。
【００１９】
　請求項１２に記載した遊技機は、照光部の光源を、キー挿入口内に挿入された封印用キーの挿入方向先端部の開口に対向させて配置したものである。
【００２０】
　請求項１３に記載した遊技機用の封印手段は、着脱自在に固定されている非交換体と交換体とを封印するための封印用キーを有するものであり、その非交換体と交換体とを封止する封止部と、この封止部による封止状態とその解除状態を識別できるように光を発する照光部とを設けたことを特徴としている。
【００２１】
　請求項１４に記載した遊技機用の封印手段は、交換体の外部から視認できる位置に設けられているとともに、封止部による封止を解こうとする力が加えられることにより、変形して開封の痕跡を残す開封残痕部を含む複数の開封残痕部を封印用キーに形成している。
【発明の効果】
【００２２】
　請求項１〜１４に記載した発明によれば、非交換体に交換体を封止した封止状態とその封止の解除状態を識別できるので、その封止が不正に解除されたことをいち早く発見して対処できる。
【００２３】
　請求項１〜１４に記載した発明で得られる上記共通の効果に加え、各請求項記載の発明によれば次の効果を得ることができる。
　請求項３に記載の発明によれば、互いに重ね合わされている複数の交換体が非交換体に着脱自在に固定されており、それら交換体のうち、その非交換体に隣接していない交換体を非交換体に封止しているので、交換体の数だけ封印手段を設ける必要がなく、簡易な構成にすることができる。
【００２４】
　請求項４に記載した発明によれば、非交換体に複数の交換体を封止しかつそれら複数の交換体の全部又は一部を共通の封印手段により封印しているので、簡易な構成にすることができるとともに、封印作業を容易に行なうことができる。
【００２５】
　請求項６に記載した発明によれば、封印用キーの挿入を許容するキー挿入口が、互いに装着した非交換体と交換体の双方の所定位置に同軸的に対向して配設されており、非交換体のキー挿入口内に非交換体側係止部が形成され、かつ、交換体のキー挿入口内に非交換体側係止部が形成されており、上記封印用キーには、キー挿入口に挿入されたときに非交換体側係止部と係止する第１のキー側係止部と、交換体側係止部に係止する第２のキー側係止部とが形成されているとともに、照光部は、キー挿入口に挿入された封印用キーの挿入方向先端部に向けて光を発するようにした光源を備えているので、封印用キーの有無、封止状態やその封止の解除状態を視認しやすい。
【００２６】
　請求項７に記載した発明によれば、封止部による封止を解こうとする力が加えられることにより、変形して開封の痕跡を残す開封残痕部を封印用キーに形成しているので、開封されたか否かを一見して判別できる。
【００２７】
　請求項８に記載した発明によれば、交換体の外部から視認できる位置に設けた開封残痕部を含む複数の開封残痕部を有しているので、交換体を不正に交換する等の不正行為があったことを直感的に認識することができる。
【００２８】
　請求項９に記載した発明によれば、封印用キーが、光透過性の合成樹脂で形成されているので、光源から発せられた光を透過させられ、交換体の正面側から封印用キーの有無や開封されたか否かを判別しやすい。
【００２９】
　請求項１０に記載した発明によれば、封印用キーが、光非透過性の合成樹脂で一体に形成されており、これの挿入方向後端部側に開封残痕部が形成されているとともに、挿入方向先端部端面に形成した開口から開封残痕部にかけて光通過孔を形成しているので、光源から発せられた光を当該光通過孔を介して通過させられ、交換体の正面側から封印用キーの有無や開封されたか否かを判別しやすい。
【００３０】
　請求項１１に記載した発明によれば、開封残痕部の変形が、非交換体若しくは交換体の少なくとも一部又は封止部のうち、少なくとも１つのものが封止の解除に伴って破損することを含んでいるので、その開封残痕部を簡単な構成にすることができ、その製作が容易であり安価なものを提供できる。
【００３１】
　請求項１２に記載した発明によれば、照光部の光源を、キー挿入口内に挿入された封印用キーの挿入方向先端部端面に対向させて配置しているので、照光部から発せられた光を交換体の正面側から容易に確認しやすい。
【発明を実施するための最良の形態】
【００３２】
　所謂ホール等に設置されている各種の遊技機は、直径約２５（ミリ）のメダルや外径約１１（ミリ）の遊技球その他の遊技媒体の供給に基づいて、種々の遊技（ゲーム）を行なうことができるようになっている。
【００３３】
　上記の各遊技機は、各々の遊技性を基準として、風俗営業の適正化等の規制及び業務の適正化等に関する法律（以下「風営適正化法」という。）及び同法施行規則において、ぱちんこ遊技機，回動式遊技機等として区分されている。
【００３４】
　上記のぱちんこ遊技機では、これに設けられている電動役物の違いにより、さらに次のように分類されている。
【００３５】
　「第一種」
　既定の入賞口に遊技球を入賞されることにより当否の抽選を行い、その結果、当りの場合には、通常の遊技状態からこれよりも遊技者にとって有利な遊技状態に移行させることを内容とするもの。
　「通常の遊技状態」とは、大入賞口の開閉扉を開放しない態様での遊技内容のことをいう。
　「遊技者にとって有利な遊技状態」とは、大入賞口の開閉扉を所定時間だけ開放するという態様を継続して繰り返す遊技内容のことをいい、所謂大当たり状態のことである。
【００３６】
　「第二種」
　既定の入賞口に遊技球を入賞させることにより当否の抽選を行い、その結果、当りの場合には、通常の遊技状態からこれよりも遊技者にとって有利な遊技状態に移行させるようにし、また、可動片によって規制された入賞領域に遊技球を受容させ、さらに、遊技球振分け装置によって既定の入賞口に遊技球を到達させて入賞させることにより、通常の遊技状態からこれよりも遊技者にとって有利な遊技状態に移行させることを内容とするもの。
【００３７】
　「第三種」
　通常の遊技状態からこれよりも遊技者にとって有利な遊技状態に移行させるための所定の条件が満たされたときに、その遊技者にとって有利な遊技状態にするために、既定の入賞口に遊技球を入賞させることが必要となる内容のもの。
【００３８】
　以下に、本発明を実施するための最良の形態について図面を参照して説明するが、ここでは、上記遊技媒体として示した遊技球やメダルのうち、遊技球を用いた遊技を行う遊技機としてぱちんこ遊技機を例とし、さらに詳しくは、上記した第一種の電動役物を設けたものについて説明する。
【００３９】
　図１は、本発明の第１の実施形態に係るぱちんこ遊技機の正面図、図２は、そのぱちんこ遊技機の主扉を取り外した状態の正面図、図３は、遊技機本体の斜視図である。
【００４０】
　第１の実施形態に係るぱちんこ遊技機Ａは、遊技盤１を、これの遊技領域１ａを正面から見えるように着脱可能に固定した遊技機本体（以下「本体」という。）２に、その遊技盤１を覆う主扉３と受け皿付扉４とを上下にしかつ開閉自在に取り付けた外観構成になっている。本実施形態においては、遊技盤１が交換体であり、本体２が非交換体である。
【００４１】
　「交換体」とは、ぱちんこ遊技機のデザインや遊技内容等を、一の機種のものから他の機種のものに変更しようとする際に交換することが必要となる部分をいう。また、「非交換体」とは、上記の変更を行なう際にも交換を必要としない部分をいう。上記したように、本実施形態においては、上記の遊技盤１を交換体として例示し、また、本体２を非交換体として例示するが、これらのものに限る趣旨ではない。
【００４２】
　本体２は、図２，３に示すように、所要の間隔で配設した起立枠材５，６の上下端部間に、上下枠材７，８を横架してなる縦横８００×５００（ミリ）程の大きさのものであり、ホール等に設置した例えば木製の外枠９に内設されることにより、所謂島設備等に配列固定されるようになっている。
【００４３】
　起立枠材５，６及び上下枠材７，８で区画される内側空間αには、それら起立枠材５，６及び上枠材７の背面側寄りに、所要の幅にした背面板１０が正面下向きコ字形にして連設されている。
【００４４】
　起立枠材５の内側面には、遊技盤１の外縁部正面に当接して位置決めする位置決め突起１１，１２が互いに所要の間隔をおいて突設されているとともに、それら位置決め突起１１，１２の各上側至近位置には、それら位置決め突起１１，１２に当接した遊技盤１を、これの裏面側から弾圧挟持する板ばね１３，１４が配設されている。
　なお、背面板１０の正面と、前記位置決め突起１１，１２の遊技盤当接面の間隔は、遊技盤１の板厚とほぼ一致するように設定している。
【００４５】
　背面板１０の起立枠材６側の上下端部近傍には、遊技盤固定具１５，１５が配設されているとともに、それら遊技盤固定具１５，１５のうち、上端側の遊技盤固定具１５の至近位置には、本発明の第１の実施形態に係る封印手段Ｂ１が設けられている。
【００４６】
　遊技盤固定具１５は、遊技盤１を本体２の背面板１０に着脱可能に固定するものであり、上記背面板１０と一体的に形成された基部１６と遊技盤押え１７とからなる。
【００４７】
　基部１６は、これの基端部から先端部に向けてやや径細になる略円錐台形のものであり、これの先端壁面の中央には、遊技盤押え１７を回転自在に支持するための支持孔（図示しない）が形成されている。遊技盤押え１７は正面視略菱形の角柱状に形成されており、これ自体を摘んで回転させるための摘みとしての機能を併有したものである。
【００４８】
　遊技盤１は、縦横約４００〜５００（ミリ）程の略正方形にした例えば木製のものであり、主扉３の後記する窓孔３ａに対向して配置され、かつ、本体２の上記した内側空間αに着脱可能に固定されるようになっている。
【００４９】
　この遊技盤１には、上記した内側空間αに固定された際、遊技盤固定具１５，１５に対向する部分に、上記遊技盤押え１７と略同形の係止用孔１ｂ，１ｂが形成されている。その遊技盤押え１７を係止用孔１ｂ，１ｂに一致した着脱位置と、その係止用孔１ｂ，１ｂに一致しない固定位置とに回動させることにより、遊技盤１の着脱と固定とを行えるようになっている。
【００５０】
　遊技盤１の正面には、ゲージ（適宜配設された多数本の遊技くぎ）を囲繞することにより遊技領域を区画形成するガイドレール１ｄ，１ｅが配設されているとともに、その遊技領域内には、特別図柄等を変動表示させることができるディスプレイ、風車、スルーチャッカ、電動チューリップを近設した始動口、大入賞口（いずれも図示しない）やアウト口３６等が適宜配設されている。
【００５１】
　また、遊技盤１の裏面には、本ぱちんこ遊技機Ａの主要部を制御する主制御装置，図柄制御装置，ランプ制御装置，音声制御装置，払出し制御装置、発射制御装置及び可動物制御装置（いずれも図示しない）等が配設固定されている。
【００５２】
　次に、本発明の第１の実施形態に係る封印手段Ｂ１について、図４〜９を参照して説明する。図４は、図２に示すＩ−Ｉ線に沿う部分断面図、図５（Ａ），（Ｂ）は、封印用キーを示すものであり、（Ａ）は側面図、（Ｂ）は背面図、図６（Ａ）はその封印用キーの正面図、（Ｂ）はその平面図、図７は、キーケースを示すものであり、（Ａ）はその正面図、（Ｂ）はその断面図、（Ｃ）はその背面図である。また、図８は、フェースプレートを示すものであり、（Ａ）はその正面図、（Ｂ）はその側面図、図９は、キーシリンダを示すものであり、（Ａ）はその正面図、（Ｂ）はその断面図、（Ｃ）はその背面図である。
【００５３】
　封印手段Ｂ１は、交換体と非交換体とを封印するものであり、図４に示すように、封印用キー１８、フェースプレート１９、キーケース２０及びキーシリンダ２１を有して構成されている。
【００５４】
　封印用キー１８は光透過性の合成樹脂で一体に形成されており、それは、所要の長さと外径にした、円柱形の軸２２の一端部（挿入方向後端部）から他端部（挿入方向先端部）に向けて、摘み２３、開封残痕部２４、回転防止用突片２５，２５、第２のキー側係止片２７，２７、第１のキー側係止片２６，２６が順に形成されている。本実施形態においては、第１のキー側係止片２６，２６が第１のキー側係止部であり、第２のキー側係止片２７，２７が第２のキー側係止部である。
【００５５】
　摘み２３は、側面視において縦長の直方体形に形成された摘み本体２３ａの他端部に、フェースプレート１９のキー挿入口３３よりもやや大径の円板形にした鍔部２３ｂを形成したものであり、その摘み本体２３ａには、セキュリティ管理番号等の識別情報を記載したインサートプレート２８が埋設されている。
【００５６】
　なお、摘み本体２３ａには、セキュリティ管理番号等の識別情報を記載した上記インサートプレート２８を埋設する他、同様のセキュリティ管理番号等の識別情報を記憶させたＩＣタグ（ＲＦ−ＩＤ）やＩＣチップ等を埋設することができる。
【００５７】
　ＩＣタグ（ＲＦ−ＩＤ）は、図示しない送受信装置（リーダーライタ）により上記識別情報の他、必要な情報を非接触で読み取り／書き込み可能なものであり、バッテリーレスで駆動できるようになっているものである。このようなＩＣタグ（ＲＦ−ＩＤ）やＩＣチップ等を用いることにより、専用の読取り装置や送受信装置（リーダーライタ）により容易かつ短時間に識別情報等を読み取ることができるようになるため、それら識別情報等のチェックを容易確実に行なうことができる。
【００５８】
　「識別情報」としては、上記したセキュリティ管理番号等の他、例えばユーザー側では理解できないように配列した数字や記号や、当該ぱちんこ遊技機Ａを特定できる番号等を挙げることができる。要するに、「識別情報」は、容易に偽造することができないような内容のものである。
【００５９】
　開封残痕部２４は、本体２に遊技盤１を封止する封止部（詳細を後述する）Ｃによる封止を解こうとする力が摘み２３を介して加えられることにより、変形して開封の痕跡を残すものであり、封印用キー１８の軸２２の一部を、摘み２３を捻る力によって破断する程度の細径にしているものである。なお、本実施形態において、「変形」というときには、摘み２３を捻る以前の原形とは異なる形態になることをいい、上記した破断の他、破損を含む広い概念である。
【００６０】
　回転防止用突片２５，２５は、図５，６に示すように、所要の厚みｔ１にした平面視略台形になっており、軸２２の軸心Ｏ１を挟みその左右両側に突出して形成されている。
【００６１】
　第１のキー側係止片２６，２６及び第２のキー側係止片２７，２７は、側面視において直角三角形にして形成されており、回転防止用突片２５，２５とは９０度の角度差をもって上記軸心Ｏ１を挟む上下両側に突出形成されている。
【００６２】
　換言すると、正面から封印用キー１８を見たとき、回転防止用突片２５，２５と第１のキー側係止片２６，２６及び第２のキー側係止片２７，２７とは、互いに９０度の角度をもって形成されている。
　なお、回転防止用突片２５，２５と第１のキー側係止片２６，２６及び第２のキー側係止片２７，２７とを、互いに９０度の角度差にして形成することに限るものではなく、他の角度差にして形成してもよい。
【００６３】
　第１のキー側係止片２６，２６と第２のキー側係止片２７，２７とは、遊技盤１を本体２に取り付けたとき、詳細を後述するキーケース２０とキーシリンダ２１に形成された交換体側係止片２９ｄ，２９ｄ、非交換体側係止片３４ｂ，３４ｂの間隔Ｗ１と同じ間隔にして形成されている。
【００６４】
　また、図５，６に示すように、上記した回転防止用突片２５，２５の厚みｔ１と、第１のキー側係止片２６，２６及び第２のキー側係止片２７，２７の厚みｔ２とを異ならせている。具体的には、ｔ１＜ｔ２の関係になっている。
【００６５】
　キーケース２０は例えば耐熱性合成樹脂によって形成されており、それは、図７にも示すように、略円筒形のケース本体２９の後端部寄りに、遊技盤１の背面に当接固定させる正面視縦長方形の取付け用鍔３０，３０を一体に形成したものである。なお、３０ａ，３０ａは、取付け用鍔３０，３０の上下端部に穿設されたネジ挿入用孔である。
【００６６】
　ケース本体２９の正面側端面には、上記した封印用キー１８を挿入するためのキー挿入口２９ａが形成されている。
　キー挿入口２９ａは、正面視縦長方形に開口形成されているとともに、正面視において、軸心Ｏ２を挟む左右両側にキー回転防止用溝２９ｂ，２９ｂを突出して形成した正面視略十字形になっている。なお、２９ｃ，２９ｃは、詳細を後述するフェースプレート１９の取付け用脚３１，３１を挿入するための脚挿入孔である。
【００６７】
　キー挿入口２９ａの上縁部と下縁部には、図４，７に示すように、正面から背面に向け次第に互いの間隔が狭くなるように、交換体側係止片２９ｄ，２９ｄが弾性変形可能にして延出形成されている。この交換体側係止片２９ｄ，２９ｄの間隔Ｗ２は、上記した封印用キー１８の軸２２の直径にほぼ一致している。
【００６８】
　キーケース２０の遊技盤１への固定は、その遊技盤１に穿設したキーケース挿入孔１ｃに、当該遊技盤１の裏面側からキーケース２０のケース本体２９を挿し込んで、取付け用鍔３０，３０を遊技盤１の裏面に当接させ、ネジ挿入用孔３０ａ，３０ａにボルトや木ネジ等の締結具３２を挿入螺合することによって行っている。
【００６９】
　すなわち、取付け用鍔３０，３０を遊技盤１の裏面に当接させ、かつ、その遊技盤１の裏面側から締結具３２によって固定することにより、遊技盤１の正面側から、キーケース２０自体を取り外すことがきわめて困難となるようにしている。
【００７０】
　図８に示すように、フェースプレート１９は、上記したキーケース２０のケース本体２９と同じ輪郭に形成されており、これには、軸心Ｏ３に一致してキー挿入口３３が形成されているとともに、これの裏面に該軸心Ｏ３を通る一直径線上に円柱形の取付け用脚３１，３１が突設されている。
【００７１】
　キー挿入口３３は、軸心Ｏ３を通る水平な直径線に一致し、かつ、封印用キー１８の回転防止用突片２５，２５の正面輪郭に一致する大きさの凹部３３ａ，３３ａと、その軸心Ｏ３を通る垂直な直径線に一致し、かつ、第１のキー側係止片２６，２６及び第２のキー側係止片２７，２７の正面輪郭に一致する大きさの凹部３３ｂ，３３ｂとを形成した正面略十字形のものである。
【００７２】
　すなわち、凹部３３ａ，３３ａと凹部３３ｂ，３３ｂとを回転防止用突片２５，２５の正面輪郭と、第１のキー側係止片２６，２６及び第２のキー側係止片２７，２７の正面輪郭に一致させているので、封印用キー１８の差し込む向きの間違いを防止できる。
【００７３】
　キーシリンダ２１は例えば耐熱性合成樹脂によって形成されており、それは、図９に示すように、略円筒形のケース本体３４の後端部寄りに、前記した本体２（背面板１０）の正面に当接させる正面視縦長方形の取付け用鍔３５を一体に形成したものである。なお、３５ａ，３５ａは、取付け用鍔３５の上下端部に穿設されたネジ挿入用孔である。
【００７４】
　ケース本体３４の正面側端面には、上記した封印用キー１８を挿入するためのりキー挿入口３４ａが形成されている。
　キー挿入口３４ａは、正面視略縦長方形に開口形成されているとともに、このキー挿入口３４ａの上縁部と下縁部には、図９に示すように、正面から裏面に向け次第に互いの間隔が狭くなるように、非交換体側係止片３４ｂ，３４ｂが弾性変形可能にして延出形成されている。
【００７５】
　非交換体側係止片３４ｂ，３４ｂの間隔Ｗ３は、上記した封印用キー１８の軸２２の直径にほぼ一致している。なお、交換体側係止片２９ｄ，２９ｄの間隔Ｗ２と非交換体側係止片３４ｂ，３４ｂの間隔Ｗ３とはほぼ一致している。
【００７６】
　本実施形態においては、上記した交換体側係止片２９ｄ，２９ｄ、非交換体側係止片３４ｂ，３４ｂ、封印用キー１８の回転防止用突片２５，２５、並びに第１のキー側係止片２６，２６及び第２のキー側係止片２７，２７により、前記本体２と遊技盤１とを封止する封止部Ｃを構成している（図４参照）。
【００７７】
　換言すると、交換体側係止片２９ｄ，２９ｄを形成したキーケース２０、非交換体側係止片３４ｂ，３４ｂを形成したキーシリンダ２１、及び回転防止用突片２５，２５、並びに第１のキー側係止片２６，２６及び第２のキー側係止片２７，２７を形成した封印用キー１８により、前記本体２と遊技盤１とを封止する封止部Ｃを構成している。
【００７８】
　ところで、前記した主扉３は、これの中央部分に、遊技盤１を視認できるガラス板を嵌め込んだ窓孔３ａが形成されており、その窓孔３ａの斜め上方の封印手段Ｂ１に対向する位置には、正面視正方形の封印確認窓孔３ｂが配設されている。その封印確認窓孔３ｂにより、主扉３を開けることなく封印の状態を容易に確認することができる。
【００７９】
　受け皿付扉４で覆われる本体２の正面には、図３に示すように、遊技球射出装置３７がやや左側部寄りに、また、遊技球を排出する遊技球通路を設けた遊技球貯溜部３８がほぼ中央部分に配設されている。
【００８０】
　受け皿付扉４の上半部側には、払い出された賞球又は貸し球を貯留する受け皿３９が形成されているとともに、下半部側には、遊技球を１発ずつ射出するための操作ハンドルＨａと灰皿４０とが、受け皿３９を挟む両側下方に配設されている。
【００８１】
　上述した構成の本体２に遊技盤１を装着する作業と、装着されている遊技盤を取り替える作業について、図１０〜図１７を参照して説明する。まず、図１０〜図１３を参照して、本体２に遊技盤１を装着する作業について説明する。
【００８２】
　図１０は、キーケースに封印用キーを差し込む前の様子を示す断面図、図１１は、キーケースに封印用キーを差し込んだ後の様子を示す断面図、図１２は、封印用キーを差し込んだキーケースを、キーシリンダに嵌合させる前の状態を示す断面図、図１３は、封印用キーを差し込んだキーケースを、キーシリンダに嵌合させた後の状態を示す断面図である。
【００８３】
＜封印用キー１８のキーケース２０への挿し込み＞
　封印用キー１８を、遊技盤１に固定したキーケース２０のキー挿入口２９ａに差し込み始めると、その途中において、回転防止用突片２５，２５がキー回転防止用溝２９ｂ，２９ｂに嵌合して回転が阻止された状態になるとともに、第１のキー側係止片２６，２６が交換体側係止片２９ｄ，２９ｄに当接する。
【００８４】
　第１のキー側係止片２６，２６が交換体側係止片２９ｄ，２９ｄに当接した後は、封印用キー１８の挿し込みに従って、第１のキー側係止片２６，２６が交換体側係止片２９ｄ，２９ｄを内側から外側に押圧して弾性変形させ、それら交換体側係止片２９ｄ，２９ｄを押し広げる。
【００８５】
　そして、第１のキー側係止片２６，２６が交換体側係止片２９ｄ，２９ｄを通過すると、それら交換体側係止片２９ｄ，２９ｄは元の状態に弾性復帰する。さらに、封印用キー１８を挿し込むと、第２のキー側係止片２７，２７が交換体側係止片２９ｄ，２９ｄに当接する。
【００８６】
　第２のキー側係止片２７，２７が交換体側係止片２９ｄ，２９ｄに当接した後は、封印用キー１８の挿し込みに従って、第２のキー側係止片２７，２７が交換体側係止片２９ｄ，２９ｄを内側から外側に押圧して弾性変形させ、それら交換体側係止片２９ｄ，２９ｄを押し拡げる。
【００８７】
　そして、第２のキー側係止片２７，２７が交換体側係止片２９ｄ，２９ｄを通過すると、その交換体側係止片２９ｄ，２９ｄが元の状態に弾性復帰し、それら交換体側係止片２９ｄ，２９ｄに第２のキー側係止片２７，２７の垂直な係止面２７ａ，２７ａに当接した状態になる。これにより、封印用キー１８は、キーケース２０からの抜き出しと回転が阻止された状態になる（図１１参照）。
【００８８】
＜封印用キー１８のキーシリンダ２１への挿し込み＞
　次に、封印用キー１８を差し込んだキーケース２０を、キーシリンダ２１の正面側から嵌合するように接近させる（図１２参照）。換言すると、遊技盤１を本体２の背面板１０に接近させる。
【００８９】
　キーケース２０をキーシリンダ２１に挿し込み始めると、この挿し込みの途中、封印用キー１８の第１のキー側係止片２６，２６が、キーシリンダ２１の非交換体側係止片３４ｂ，３４ｂに当接する。
【００９０】
　第１のキー側係止片２６，２６が非交換体側係止片３４ｂ，３４ｂに当接した後は、封印用キー１８の挿し込みに従って、第１のキー側係止片２６，２６が非交換体側係止片３４ｂ，３４ｂを内側から外側に押圧して弾性変形させ、それら非交換体側係止片３４ｂ，３４ｂを押し広げる。
【００９１】
　そして、第１のキー側係止片２６，２６が非交換体側係止片３４ｂ，３４ｂを通過すると、それら非交換体側係止片３４ｂ，３４ｂは元の状態に弾性復帰し、それら非交換体側係止片３４ｂ，３４ｂに第１のキー側係止片２６，２６の垂直な係止面２６ａ，２６ａに当接した状態になる。
【００９２】
　この状態においては、交換体側係止片２９ｄ，２９ｄが第２のキー側係止片２７，２７の垂直な係止面２７ａ，２７ａに当接した状態になっているとともに、回転防止用突片２５，２５がキー回転防止用溝２９ｂ，２９ｂに挿入嵌合された状態になっている（図１３参照）。
　これにより、封印用キー１８は、キーケース２０及びキーシリンダ２１からの抜き出しと回転が阻止された状態になる。
【００９３】
　また、本体２に遊技盤１を装着することにより、キー挿入口２９ａ，３４ａが同軸的に配置された状態になるとともに、封印用キー１８の軸２２がキーケース２０とキーシリンダ２１とにより囲繞されて外部から見ることができないようになっている。さらに、封印用キー１８の鍔部２３ｂがフェースプレート１９のキー挿入口３３を外面から覆うことになって、そのキー挿入口３３を介した不正行為を防止する上で有効である。
【００９４】
＜遊技盤１を正規に取り替えるとき＞
　次に、図１４〜図１７を参照して、本体２に装着された遊技盤１を取り替える作業について説明する。図１４は、遊技盤と本体とを封印している封印用キーを破断させた状態の断面図、図１５は、封印用キーを破断させた後、本体から遊技盤を取り外す状態の断面図、図１６は、キーシリンダから破断した封印用キーの残部を取り出す前の状態を示す断面図、図１７は、キーシリンダから破断した封印用キーの残部を取り出した後の状態を示す断面図である。
【００９５】
　遊技盤１を取り替えるときには、遊技盤固定具１５，１５を操作して当該遊技盤１を取り外せる状態にするとともに、図１４に示すように、封印用キー１８の摘み２３を回転させて開封残痕部２４を破断させる。
【００９６】
　図１５に示すように、遊技盤１を本体２（背面板１０）から取り外すと、軸２２の回転防止用突片２５，２５からキーケース２０のキー回転防止用溝２９ｂ，２９ｂが離脱し、破断して残留した軸２２は、これの回転が許容された状態になる。
【００９７】
　そこで、図１６に示すように、軸２２を左右いずれかの方向にほぼ９０°回転させて、非交換体側係止片３４ｂ，３４ｂと第１のキー側係止片２６，２６との係止状態を解除して、図１７に示すように、遊技盤１の正面側に取り出して抜き取る。そして、新たな遊技盤１を本体２（背面板１０）に装着して、それらを新たな封印用キー１８で封印する。
【００９８】
＜遊技盤を不正に取り外そうとしたとき＞
　遊技盤固定具１５，１５を操作して遊技盤１を取り外せる状態にし、また、封印手段Ｂ１による封印を解除しようとして、封印用キー１８の摘み２３をいずれかの方向に回転させると、軸２２も同方向に一体に回転しようとするが、軸２２に形成した回転防止用突片２５，２５がキーケース２０のキー回転防止用溝２９ｂ，２９ｂに挿入嵌合されていることにより、該軸２２の回転が阻止される。
【００９９】
　封印用キー１８の摘み２３をさらに回転させると、軸２２は、これに形成した開封残痕部２４が破断して、遊技盤１を不正に取り外そうとした痕跡が残るとともに、その痕跡を、主扉３に形成した封印確認窓孔３ａを介して容易に確認することができる。これにより、不正な行為が行われたことを早期に発見して迅速に対処できる。
【０１００】
　また、上記の封印用キー１８とは異なる模造の封印用キーで封印したとしても、当該模造のものでは、摘みにセキュリティ管理番号等の識別情報を記載したインサートプレート２８や同様のセキュリティ管理番号等の識別情報を記憶させたＩＣタグ（ＲＦーＩＤ）やＩＣチップ等が埋設されていないので、正規のものであるか否かを容易に判別することができる。
【０１０１】
　次に、本発明の第２の実施形態に係る封印手段Ｂ２について、図１８〜２０を参照して説明する。図１８は、他例に係るキーシリンダの断面図、図１９は、第２の実施形態に係る封印手段を示すものであり、封印用キーを破断させていない状態の断面図、図２０は、第２の実施形態に係る封印手段を示すものであり、封印用キーを破断させた状態の断面図である。
【０１０２】
　第２の実施形態に係る封印手段Ｂ２は、封印用キー１８、フェースプレート１９、キーケース２０及びキーシリンダ５０を有して構成されている。なお、封印手段Ｂ２は、キーシリンダ５０を除けば、上記した封印手段Ｂ１と同等の構成になっているので、ここでは、それらと同等のものに同一の符号を付して詳細な説明を省略する。
【０１０３】
　キーシリンダ５０は、例えば上記したものと同じく耐熱性合成樹脂によって形成されており、それは、略円筒形のケース本体５１の後端部寄りに、遊技盤１の正面に当接させる正面視縦長方形の取付け用鍔５２を一体に形成するとともに、後端開口に照光部５３を配設したものである。なお、取付け用鍔５２の上下端部にはネジ挿入用孔５２ａ，５２ａが穿設されている。
【０１０４】
　ケース本体５１の正面側端面には、上記した封印用キー１８を遊挿できるキー挿入口５１ａが形成されている。
　キー挿入口５１ａは、正面視略縦長方形に開口形成されているとともに、このキー挿入口５１ａの上縁部と下縁部には、正面から裏面に向け次第に互いの間隔が狭くなるように、非交換体側係止片５１ｂ，５１ｂが弾性変形可能にして延出形成されている。
　なお、この非交換体側係止片５１ｂ，５１ｂの間隔Ｗ３は、上記した封印用キー１８の軸２２の直径にほぼ一致している。
【０１０５】
　照光部５３は、ケース本体５１の後端開口に取り付けた基板５４の中央部分に、光源であるＬＥＤ５５を配設した構成になっている。換言すると、ケース本体５１の軸心Ｏ４に一致して光源であるＬＥＤ５５を配設した構成になっており、それは、封印用キー１８に向けて、言い換えると、本体２に遊技盤１を封止する封止部Ｃと、この封止部Ｃによる封止状態とその封止の解除状態を識別できるように光を発するようになっている。
【０１０６】
　さらに詳しくは、ＬＥＤ５５をキーケース２０とキーシリンダ５０に係止した封印用キー１８の軸２２の挿入方向先端部端面に対向近接させて配置することにより、そのＬＥＤ５５から発せられた光によって、封印用キー１８の少なくとも摘み２３が、本体２の正面側から発光して見えるようにしている。
【０１０７】
　ＬＥＤ５５は、前記した図示しないランプ制御装置に接続されており、所定の間隔で点滅するように制御されるようになっている。なお、ＬＥＤ５５は、点滅させる他、点灯したままにしてもよい。また、ＬＥＤの他、公知の光源を採用できる。
【０１０８】
　この封印手段Ｂ２によれば、図１９に示すように、開封残痕部２４が破断していないとき、封印用キー１８の摘み２３を正面から見ると、これの全体が縦長方形に発光して見える。
【０１０９】
　これに対し、図２０に示すように、開封残痕部２４が破断して摘み２３が脱落していると、軸２２全体が円形に光るか、これの中心部が点状に光ることになり、開封されたことが認識されやすくなる。
【０１１０】
　また、封印用キー１８としては、光透過性の合成樹脂であればよいが、好ましくは、やや濁った色合いにすると、ＬＥＤ５５から発せられた光が当該封印用キー１８内で乱反射して全体をより光らせやすい。
【０１１１】
　次に、図２１，２２を参照して、本発明の第３の実施形態に係る封印手段Ｂ３について説明する。図２１は、本発明の第３の実施形態に係る封印手段の断面図、図２２は、他例に係る封印用キーを取り去った状態の本発明の第３の実施形態に係る封印手段の断面図である。
【０１１２】
　第３の実施形態に係る封印手段Ｂ３は、他例に係る封印用キー１３０、フェースプレート１９、キーケース２０及びキーシリンダ５０を有して構成されている。なお、この第３の実施形態に係る封印手段Ｂ３は、封印用キー１３０を除けば、上記した第２の実施形態に係る封印手段Ｂ２と同等の構成になっているので、ここでは、それらと同等のものに同一の符号を付して詳細な説明を省略する。
【０１１３】
　封印用キー１３０は光非透過性の合成樹脂で一体に形成されており、それは、所要の長さと外径にした円柱形の軸１３１の一端部（挿入方向後端部）から他端部（挿入方向先端部）に向けて、摘み１３２、開封残痕部１３３、回転防止用突片１３４，１３４、第２のキー側係止片１３５，１３５、第１のキー側係止片１３６，１３６が順に形成されているものである。換言すると、封印用キー１３０は、光が透過しないようにしているものである。
【０１１４】
　なお、上記した交換体側係止片２９ｄ，２９ｄ、交換体側係止片５１ｂ，５１ｂ、封印用キー１３０の回転防止用突片１３４，１３４、及び第１のキー側係止片１３６，１３６、第２のキー側係止片１３５，１３５により、前記本体２に遊技盤１を封止する封止部Ｃを構成している。
【０１１５】
　摘み１３２は、側面視において縦長の直方体形に形成された摘み本体１３２ａの他端部に、フェースプレート１９のキー挿入口３３よりもやや大径の円板形にした鍔部１３２ｂを形成したものであり、その摘み本体１３２ａには、セキュリティ管理番号等の識別情報を記載したインサートプレート２８が埋設されている。
【０１１６】
　なお、摘み本体１３２ａには、セキュリティ管理番号等の識別情報を記載した上記インサートプレート２８を埋設する他、同様のセキュリティ管理番号等の識別情報を記憶させたＩＣタグ（ＲＦ−ＩＤ）やＩＣチップ等を埋設することができる。
【０１１７】
　ＩＣタグ（ＲＦ−ＩＤ）は、図示しない送受信装置（リーダーライタ）により上記識別情報の他、必要な情報を非接触で読み取り／書き込み可能なものであり、バッテリーレスで駆動できるようになっているものである。このようなＩＣタグ（ＲＦ−ＩＤ）やＩＣチップ等を用いることにより、専用の読取り装置や送受信装置（リーダーライタ）により容易かつ短時間に識別情報等を読み取ることができるようになるため、それら識別情報等のチェックを容易確実に行なうことができる。
【０１１８】
　「識別情報」としては、上記したセキュリティ管理番号等の他、例えばユーザー側では理解できないように配列した数字や記号や、当該ぱちんこ遊技機Ａを特定できる番号等を挙げることができる。要するに、「識別情報」は、容易に偽造することができないような内容のものである。
【０１１９】
　開封残痕部１３３は、本体２に遊技盤１を封止する封止部（詳細を後述する）Ｃによる封止を解こうとする力が摘み１３２を介して加えられることにより、変形して開封の痕跡を残すものであり、封印用キー１３０の軸１３１の一部を、摘み１３２を捻る力によって破断する程度の細径にしているものである。なお、本実施形態において、「変形」というときには、摘み１３２を捻る以前の原形とは異なる形態になることをいい、上記した破断の他、破損を含む広い概念である。
【０１２０】
　回転防止用突片１３４，１３４は、所要の厚みｔ１にした平面視略台形になっており、軸１３１の軸心Ｏ１を挟みその左右両側に突出して形成されている。
【０１２１】
　第２のキー側係止片１３５，１３５及び第１のキー側係止片１３６，１３６は、側面視において直角三角形にして形成されており、回転防止用突片１３４，１３４とは９０度の角度差をもって上記軸心Ｏ１を挟む上下両側に突出形成されている。
【０１２２】
　換言すると、正面から封印用キー１３０を見たとき、回転防止用突片１３４，１３４と第２のキー側係止片１３５，１３５及び第１のキー側係止片１３６，１３６とは、互いに９０度の角度をもって形成されている。
　なお、回転防止用突片１３４，１３４と、第２のキー側係止片１３５，１３５及び第１のキー側係止片１３６，１３６とを、互いに９０度の角度差にして形成することに限るものではなく、他の角度差にして形成してもよい。
【０１２３】
　第１のキー側係止片１３６，１３６と第２のキー側係止片１３５，１３５とは、遊技盤１を本体２に取り付けたとき、詳細を後述するキーケース２０とキーシリンダ５０に形成された交換体側係止片２９ｄ，２９ｄ、非交換体側係止片５１ｂ，５１ｂの間隔Ｗ１と同じ間隔にして形成されている。
【０１２４】
　また、上記した回転防止用突片１３４，１３４の厚みｔ１と、第１のキー側係止片１３６，１３６及び第２のキー側係止片１３５，１３５の厚みｔ２とを異ならせている。具体的には、ｔ１＜ｔ２の関係になっている。
【０１２５】
　上記した封印手段Ｂ３であれば、図２１に示すように、封印用キー１３０が、キーケース２０とキーシリンダ５０に係止しているときには、ＬＥＤ５５から発せられた光は封印用キー１３０によって遮られ、本体２や遊技盤１の正面側からはＬＥＤ５５から発せられた光を視認できない。これにより、封印用キー１３０によって封止されていることを、たとえ遠くからでも判別することができる。
【０１２６】
　図２２に示すように、封印用キー１３０が取り去られているときには、ＬＥＤ５５から発せられた光はキー挿入口２９ａ，５１ａを介して、遊技盤１や本体２の正面側からＬＥＤ５５から発せられた光を視認できる。これにより、封印用キー１３０による封止がされていないことをたとえ遠くからでも判別することができる。
【０１２７】
　次に、図２３，２４を参照して、第４の実施形態に係る封印手段について説明する。図２３は、第４の実施形態に係る封印手段の断面図、図２４は、他例に係る封印用キーを破断させた状態の第４の実施形態に係る封印手段の断面図である。
【０１２８】
　第４の実施形態に係る封印手段Ｂ４は、他例に係る封印用キー１４０、フェースプレート１９、キーケース２０及びキーシリンダ５０を有して構成されている。なお、この封印手段Ｂ４は、封印用キー１４０を除けば、上記した第３の実施形態に係る封印手段Ｂ３と同等の構成になっているので、ここでは、それらと同等のものに同一の符号を付して説明を省略する。
【０１２９】
　封印用キー１４０は光非透過性の合成樹脂で一体に形成されており、それは、所要の長さと外径にした円柱形の軸１４１の一端部（挿入方向後端部）から他端部（挿入方向先端部）に向けて、摘み１４２、開封残痕部１４３、回転防止用突片１４４，１４４、第２のキー側係止片１４５，１４５、第１のキー側係止片１４６，１４６が順に形成されているものである。
【０１３０】
　摘み１４２は、側面視において縦長の直方体形に形成された摘み本体１４２ａの他端部に、フェースプレート１９のキー挿入口３３よりもやや大径の円板形にした鍔部１４２ｂを形成したものであり、その摘み本体１４２ａには、セキュリティ管理番号等の識別情報を記載したインサートプレート２８が埋設されている。
【０１３１】
　なお、摘み本体１４２ａには、セキュリティ管理番号等の識別情報を記載した上記インサートプレート２８を埋設する他、同様のセキュリティ管理番号等の識別情報を記憶させたＩＣタグ（ＲＦ−ＩＤ）やＩＣチップ等を埋設することができることは前述したものと同様である。
【０１３２】
　軸１４１は、これの挿入方向先端部端面に形成した開口１４１ａから摘み１４２内にいたる部分に光通過孔１４１ｂが形成されている。換言すると、光通過孔１４１ｂは、挿入方向先端部端面に形成した開口１４１ａから開封残痕部１４３を超える部分に至る長さに形成されている。さらに換言すると、光通過孔１４１ｂは、挿入方向先端部端面に形成した開口１４１ａから開封残痕部１４３にかけて形成されている。
【０１３３】
　なお、上記した交換体側係止片２９ｄ，２９ｄ、非交換体側係止片５１ｂ，５１ｂ、封印用キー１４０の回転防止用突片１４４，１４４、及び第２のキー側係止片１４５，１４５、第１のキー側係止片１４６，１４６により、前記本体２に遊技盤１を封止する封止部Ｃを構成している。
【０１３４】
　換言すると、交換体側係止片２９ｄ，２９ｄを形成したキーケース２０、非交換体側係止片５１ｂ，５１ｂを形成したキーシリンダ５１、及び回転防止用突片１４４，１４４、並びに第１のキー側係止片１４６，１４６及び第２のキー側係止片１４５，１４５を形成した封印用キー１４０により、前記本体２と遊技盤１とを封止する封止部Ｃを構成している。
【０１３５】
　開封残痕部１４３は、本体２に遊技盤１を封止する封止部Ｃによる封止を解こうとする力が摘み１４２を介して加えられることにより、変形して開封の痕跡を残すものであり、本実施形態では、封印用キー１４０の軸１４１の一部を、摘み１４２を捻る力によって破断する程度の細径にしているものである。
【０１３６】
　回転防止用突片１４４，１４４は、所要の厚みｔ１にした平面視略台形になっており、軸１４１の軸心Ｏ１を挟みその左右両側に突出して形成されている。
【０１３７】
　第２のキー側係止片１４５，１４５及び第１のキー側係止片１４６，１４６は、側面視において直角三角形にして形成されており、回転防止用突片１４４，１４４とは９０度の角度差をもって上記軸心Ｏ１を挟む上下両側に突出形成されている。
【０１３８】
　換言すると、正面から封印用キー１４０を見たとき、回転防止用突片１４４，１４４と第２のキー側係止片１４５，１４５及び第１のキー側係止片１４６，１４６とは、互いに９０度の角度をもって形成されている。
【０１３９】
　なお、回転防止用突片１４４，１４４と第２のキー側係止片１４５，１４５及び第１のキー側係止片１４６，１４６とを、互いに９０度の角度差にして形成することに限るものではなく、他の角度差にして形成してもよいことは前述したものと同様である。
　第２のキー側係止片１４５，１４５と第１のキー側係止片１４６，１４６とは、遊技盤１を本体２に取り付けたとき、詳細を後述するキーケース２０とキーシリンダ２１に形成された交換体側係止片２９ｄ，２９ｄ、非交換体側係止片５１ｂ，５１ｂの間隔Ｗ１と同じ間隔にして形成されている。
【０１４０】
　また、上記した回転防止用突片１４４，１４４の厚みｔ１と、第２のキー側係止片１４５，１４５及び第１のキー側係止片１４６，１４６の厚みｔ２とを異ならせている。具体的には、ｔ１＜ｔ２の関係になっている。
【０１４１】
　上記した封印手段Ｂ４であれば、図２３に示すように、封印用キー１４０が、キーケース２０とキーシリンダ５０に係止しているときには、ＬＥＤ５５から発せられた光は当該封印用キー１４０によって遮られ、本体２の正面側からはＬＥＤ５５から発せられた光を視認できない。これにより、封印用キー１４０によって封止されていることをたとえ遠くからでも判別することができる。
【０１４２】
　図２４に示すように、封印用キー１４０の開封残痕部１４３が破断しているときには、その破断により、軸１４１内の光通過孔１４１ｂの摘み１４２側の部分が、開封残痕部１４３で開口した状態になる。すなわち、光通過孔１４１ｂの両端部が開口された状態になる。
【０１４３】
　これにより、ＬＥＤ５５から発せられた光は軸１４１内の光通過孔１４１ｂを介して、遊技盤１や本体２の正面側から視認でき、封印用キー１４０による封止が解除された虞があることをたとえ遠くからでも判別することができる。
【０１４４】
　次に、本発明の第２の実施形態に係るぱちんこ遊技機Ｅについて、図２５〜３１を参照して説明する。図２５は、本発明の第２の実施形態に係るぱちんこ遊技機の分解斜視図、図２６は、本発明の第２の実施形態に係るぱちんこ遊技機の概略側面図、図２７は、そのぱちんこ遊技機を分解して示す側面図、図２８は、そのぱちんこ遊技機に用いられる遊技盤ユニットの斜視図、図２９は、その遊技盤ユニットの分解斜視図である。
【０１４５】
　第２の実施形態に係るぱちんこ遊技機Ｅは、互いに重ね合わされている交換体である中枠６０と遊技盤ユニット７０とが、非交換体である本体２に着脱自在に固定された構成になっている。
　本実施形態においては、主に遊技盤ユニット７０及び中枠６０を設けた構成になっている点が、前記したぱちんこ遊技機Ａと異なっているので、主にそれら中枠６０と遊技盤ユニット７０の構成について説明し、遊技機本体２，封印手段等については前記したものと同等のものに同一の符号を付してその詳細な説明を省略する。
【０１４６】
　ぱちんこ遊技機Ｅは、上記した本体２と詳細を後述する中枠６０とを第５の実施形態に係る封印手段Ｂ５によって、また、その中枠６０と遊技盤ユニット７０とを第６の実施形態に係る封印手段Ｄ１によってそれぞれ封印しているとともに、詳細を後述する遊技盤ユニット７０をなす飾り板８０、遊技盤９０及び取付けアッシ１００どうしを第７の実施形態に係る封印手段Ｄ２によって封印している。
【０１４７】
　本体２の起立枠材５，６の一方のものの下部寄りには、第１の実施形態に係るぱちんこ遊技機Ａにおいて説明したものと同等の構成からなるキーシリンダ５０が配設されている。なお、以下に説明するキーシリンダ５０に代えて、前述したキーシリンダ２１と同等の構成からなるキーシリンダ２１を配設してもよい。
【０１４８】
　中枠６０は、Ｌ字状の起立枠６１，６１の上下端部間にＬ字状の上下枠材６２，６２を横架してなる正面視において方形の枠体であり、前記した本体２の起立枠材５，６及び上下枠材７，８により区画形成される内側空間α１に装着可能に形成されている。
　この中枠６０には、図２５に示すように、外扉３Ａと、これに形成した窓孔３ａに嵌合するガラス扉３Ｂとからなる主扉３がそれぞれ開閉自在にして取り付けられている。
【０１４９】
　この中枠６０の起立枠６１，６１の一方のものであって、本体２の上記キーシリンダ５０（２１）に対向する位置には、前述したものと同等の構成からなるキーケース２０が配設されている。
　その起立枠６１，６１の一方のものの上部寄りには、上記したものと同等の構成からなるキーシリンダ５０（２１）が配設されている。
【０１５０】
　図２５〜２８には示していないが、本実施形態においては、中枠６０のキーケース２０に形成されている交換体側係止片２９ｄ，２９ｄ、本体２のキーシリンダ５０（２１）に形成されている非交換体側係止片５１ｂ，５１ｂ、封印用キー１８の回転防止用突片２５，２５、並びに第１のキー側係止片２６，２６及び第２のキー側係止片２７，２７により、本体２と中枠６０とを封止する封止部を構成している。
【０１５１】
　換言すると、交換体側係止片２９ｄ，２９ｄを形成したキーケース２０、非交換体側係止片５１ｂ，５１ｂを形成したキーシリンダ５０（２１）、及び回転防止用突片２５，２５、並びに第１のキー側係止片２６，２６及び第２のキー側係止片２７，２７を形成した封印用キー１８により、前記本体２と中枠６０とを封印する封印手段Ｂ５を構成している。
【０１５２】
　要約すると、非交換体である本体２とこれに隣接している交換体である中枠６０とを封印手段Ｂ５により封印している。なお、互いに重ね合わされている上記複数の交換体のうち、非交換体に隣接していない交換体を非交換体である本体２に封止した構成にしてもよい。「非交換体に隣接していない交換体」は、取付け板１０１や飾り板８０等である。
【０１５３】
　遊技盤ユニット７０は、飾り板８０、遊技盤９０、及び取付けアッシ１００を互いに重ね合わせて構成されている。本実施形態においては、遊技盤ユニット７０自体が上記した交換体であるとともに、それら飾り板８０、遊技盤９０及び取付けアッシ１００もそれぞれ交換体である。
【０１５４】
　飾り板８０は略方形の板体であり、図２５に示すように、後記する遊技盤９０の遊技くぎを配設した領域１ｉを囲繞する円形の開口８１が形成されているとともに、その正面には、開口８１の辺縁部に沿ってガイドレール１ｔが一体に取り付けられている。
【０１５５】
　この飾り板８０の背面には、図２９に示すように、それの上下辺縁の各両端部寄りに遊技盤固定具８２…が突設されている。
　この遊技盤固定具８２は、基部８３と、遊技盤押え８４とからなるものであり、その飾り板８０と取付けアッシ１００の取付け板１０１との間に遊技盤９０を挟入した状態で、それら飾り板８０，遊技盤９０及び取付けアッシ１００を互いに重ね合わせた状態で固定するものである。
【０１５６】
　基部８３は、これの基端部から先端部に向けてやや径細になる略円錐台形のものであり、飾り板８０と一体に形成されている。
　遊技盤押え８４は正面視略菱形に形成されており、摘みとしての機能を併有している。この遊技盤押え８４は、基部８３の先端壁面の中央に形成された支持孔（図示しない）に、後記する各係止用孔１０３に一致した着脱位置と、当該係止用孔１０３に一致しない固定位置とに回動させられるように支持されている。
【０１５７】
　飾り板８０の上辺縁には、これの一方の端部に上記した封印用キー１８を挿入するための円形のキー挿入孔８５が形成されている。このキー挿入孔８５は、封印用キー１８の軸２２よりも大径にしかつ摘み２３よりも小径にして形成されている。
【０１５８】
　遊技盤９０は、図２８，２９に示すように、上記の飾り板８０と正面視において同等の幅にするとともに当該飾り板８０の上下にやや突出する長さにした縦長の方形板体であり、これの正面には、多数本の遊技くぎ（図示しない）が、図２５４に示す領域１ｉに適宜配設されている。
【０１５９】
　この遊技盤９０のほぼ中央には、前記したディスプレイを当該遊技盤９０の正面側に臨ませるためのディスプレイ用開口９１が形成されている。また、上辺縁の両端部寄りと下辺縁の両端部寄りには、上記した飾り板８０の遊技盤固定具８２…の基部８３を挿入するための円形の挿入孔９２，９２、９２，９２が、基部８３，８３、８３，８３に対向する位置に配設されている。
　挿入孔９２…に、基端部から先端部に向けてやや径細になる略円錐台形の基部８３を挿入することにより、遊技盤９０と飾り板８０の位置決めを行なうことができるようになっている。
【０１６０】
　遊技盤９０の左右両側部のうちの一方の上部であって、中枠６０のキーシリンダ５０（２１）に対向する位置には、前記したキーケース２０と同等の構成からなるキーケース２０Ａが配設されている。
【０１６１】
　また、キーケース２０Ａの下部近傍であって、飾り板８０のキー挿入孔８５に対向する位置には、前記したキーケース２０と同等の構成からなるキーケース２０Ｂが配設されているとともに、遊技盤９０の左右両側部のうちの一方の下部であって、中枠６０のキーケース２０に対向する位置にはキー挿入孔９３が形成されている。
【０１６２】
　ディスプレイ用開口９１の周囲の遊技くぎが配設された領域１ｉ内には、図２５に示すように、風車９２，９２、スルーチャッカ９８…、電動チューリップ９４を近設した始動口９５、アタッカ９６やアウト口９７等が適宜設けられている。
【０１６３】
　取付けアッシ１００は、上記した遊技盤９０よりやや小さい大きさにした取付け板１０１の背面に、本ぱちんこ遊技機Ｅの主要部を制御する主制御装置、副制御装置等の制御回路系１０２を配設固定した構成のものである。
【０１６４】
　上記取付け板１０１の遊技盤９０の遊技盤固定具８２…に対向する位置には、上記した遊技盤押え８４と略同形の係止用孔１０３…が形成されている。
　係止用孔１０３…に挿入した遊技盤押え８４…を当該係止用孔１０３…一致した着脱位置と、それら係止用孔１０３，１０３に一致しない固定位置とに回動させることにより、飾り板８０、遊技盤９０及び取付けアッシ１００（取付け板１０１）どうしの着脱を行えるようになっている。
【０１６５】
　また、取付け板１０１の上辺縁近傍には、これの一方の端部であって上記したキーケース２０Ｂに対向する位置に、上記したものと同等の構成からなるキーシリンダ５０（２１）が配設されている。
【０１６６】
　本実施形態においては、遊技盤９０のキーケース２０Ｂに形成されている交換体側係止片２９ｄ，２９ｄ、取付け板１０１のキーシリンダ５０（２１）に形成されている非交換体側係止片５１ｂ，５１ｂ、封印用キー１８の回転防止用突片２５，２５、及び第１のキー側係止片２６，２６、第２のキー側係止片２７，２７により、交換体である遊技盤９０と取付け板１０１（取付けアッシ１００）とを封止する封止部を構成している。
【０１６７】
　敷衍すると、交換体側係止片２９ｄ，２９ｄを形成したキーケース２０Ｂ、非交換体側係止片５１ｂ，５１ｂを形成したキーシリンダ５０（２１）、及び回転防止用突片２５，２５及び第１のキー側係止片２６，２６、第２のキー側係止片２７，２７を形成した封印用キー１８により、前記遊技盤９０と取付けアッシ１００とを封印する封印手段Ｄ２を構成している。
　すなわち、封印手段Ｄ２は、交換体どうしを封止する封止部と、この封止部による封止を解こうとする力が加えられることにより、変形して開封の痕跡を残す開封残痕部とを有する交換体用のものである。
【０１６８】
　また、遊技盤９０のキーケース２０Ａに形成されている交換体側係止片２９ｄ，２９ｄ、中枠６０のキーシリンダ５０（２１）に形成されている非交換体側係止片５１ｂ，５１ｂ、封印用キー１８の回転防止用突片２５，２５、及び第１のキー側係止片２６，２６、第２のキー側係止片２７，２７により、交換体である遊技盤９０と中枠６０とを封止する封止部を構成している。
【０１６９】
　敷衍すると、交換体側係止片２９ｄ，２９ｄを形成したキーケース２０Ａ、非交換体側係止片５１ｂ，５１ｂを形成したキーシリンダ５０（２１）、並びに回転防止用突片２５，２５及び第１のキー側係止片２６，２６、第２のキー側係止片２７，２７を形成した封印用キー１８により、前記遊技盤９０と中枠６０とを封印する封印手段Ｄ１を構成している。
　すなわち、封印手段Ｄ１は、上記した封印手段Ｄ２と同様に、交換体どうしを封止する封止部と、この封止部による封止を解こうとする力が加えられることにより、変形して開封の痕跡を残す開封残痕部とを有する交換体用のものである。
【０１７０】
　次に、上記した本体２、中枠６０及び遊技盤ユニット７０の組み立てについて、図３０，３１を参照して説明する。図３０は、遊技機本体に固定した中枠に、遊技盤ユニットを装着固定する様子を示す概略側面図、図３１は、遊技盤ユニットを固定した中枠を、遊技機本体に装着固定する様子を示す概略側面図である。
【０１７１】
　本体２、中枠６０及び遊技盤ユニット７０を組み立てる順序としては、本体２と中枠６０とを固定して封止した後に、本体２に固定した中枠６０に遊技盤ユニット７０を固定して封止する場合と、遊技盤ユニット７０に中枠６０を固定して封止した後に、これを本体２に固定して封止する場合とが想定されるが、まず、本体２と中枠６０とを固定して封止した後に、本体２に固定した中枠６０に遊技盤ユニット７０を固定して封止する場合について、図３０を参照して説明する。
【０１７２】
＜中枠６０と本体２の固定と封止＞
　中枠６０のキーケース２０に封印用キー１８を挿し込んで、両者を係止しておく。封印用キー１８を挿し込んだ中枠６０を本体２の内側空間αに装着して固定する。両者の固定により、封印用キー１８は本体２のキーシリンダ５０に係止し、これにより中枠６０と本体２とが封印される。
【０１７３】
＜遊技盤ユニット７０の組み立てと封止＞
　飾り板８０の遊技盤固定具８２…の基部８３…を、遊技盤９０の挿入孔９２…に挿し込むとともに、その遊技盤９０を飾り板８０との間に挟んだ状態で、取付けアッシ１００の取付け板１０１の係止用孔１０３…に遊技盤押え８４…を挿し込んで、係止用孔１０３…に一致しない固定位置に回動する。これにより、飾り板８０、遊技盤９０及び取付けアッシ１００（取付け板１０１）が互いに重ね合わされた状態で固定される。
【０１７４】
　飾り板８０のキー挿入孔８５から封印用キー１８を挿し込んで、遊技盤９０のキーケース２０Ｂと取付け板１０１のキーシリンダ５０（２１）に前述したようにして係止することにより、互いに重ね合わされた各々交換体である飾り板８０、遊技盤９０及び取付けアッシ１００（取付け板１０１）を封印手段Ｄ２によって封印する。
【０１７５】
＜本体２に固定した中枠６０への遊技盤ユニット７０の固定と封止＞
　遊技盤９０のキーケース２０Ａに封印用キー１８を挿し込むことにより、前述したようにして、当該キーケース２０Ａに封印用キー１８を係止させておく。
【０１７６】
　遊技盤ユニット７０を中枠６０に装着して固定する。この固定により、封印用キー１８が中枠６０のキーシリンダ５０（２１）に係止し、遊技盤ユニット７０と中枠６０（本体２）とが封印手段Ｄ１によって封印される。
【０１７７】
　遊技盤ユニット７０に中枠６０を固定した後に、これを本体２に装着固定する場合について、図３１を参照して説明する。
＜遊技盤ユニット７０と中枠６０の固定と封止＞
　飾り板８０の遊技盤固定具８２…の基部８３…を、遊技盤９０の挿入孔９２…に挿し込むとともに、その遊技盤９０を飾り板８０との間に挟んだ状態で、取付けアッシ１００の取付け板１０１の係止用孔１０３…に遊技盤押え８４…を挿し込んで、係止用孔１０３，１０３に一致しない固定位置に回動させる。これにより、飾り板８０、遊技盤９０及び取付けアッシ１００（取付け板１０１）が互いに重ね合わされた状態で固定される。
【０１７８】
　その後、飾り板８０のキー挿入孔８５から封印用キー１８を挿し込んで、遊技盤９０のキーケース２０Ｂと取付け板１０１のキーシリンダ５０（２１）に前述したようにして係止することにより、互いに重ね合わされた飾り板８０、遊技盤９０及び取付けアッシ１００（取付け板１０１）を封印手段Ｄ２により封印する。
　すなわち、互いに重ね合わされた交換体である遊技盤９０と取付けアッシ１００（取付け板１０１）とを上記した交換体用の封印手段Ｄ２により封印している。
【０１７９】
　遊技盤９０のキーケース２０Ａに封印用キー１８を挿し込むことにより、当該キーケース２０Ａに封印用キー１８を係止させた後、遊技盤ユニット７０を中枠６０を固定する。この固定により、封印用キー１８が中枠２のキーシリンダ５０（２１）に係止して、遊技盤ユニット７０と中枠６０とが封印手段Ｄ１により封印される。
【０１８０】
＜遊技盤ユニット７０に中枠６０を固定したものと本体２との固定と封止＞
　中枠６０のキーケース２０に封印用キー１８を挿し込んで係止しておく。封印用キー１８を挿し込んだ中枠６０を本体２の内側空間αに装着して固定する。この固定により、封印用キー１８が本体２のキーシリンダ５０に係止して中枠６０と本体２とが封印手段Ｂ５によって封印される。換言すると、遊技盤ユニット７０に中枠６０を固定したものと本体２とが固定されるとともに封止される。
【０１８１】
　本発明の第３の実施形態に係るぱちんこ遊技機Ｆについて、図３２〜３４を参照して説明する。図３２は、本発明の第３の実施形態に係るぱちんこ遊技機の概略側面図、図３３は、そのぱちんこ遊技機の遊技機本体に固定した中枠に、遊技盤を装着固定する前の様子を示す概略側面図、図３４は、そのぱちんこ遊技機の遊技盤を固定した中枠を、遊技機本体に装着固定する前の様子を示す概略側面図である。
【０１８２】
　ぱちんこ遊技機Ｆは、前述した非交換体である本体２、交換体である中枠６０及び同じく交換体である遊技盤１１０を有する構成のものである。なお、本実施形態においては、主に遊技盤ユニット７０に代えて遊技盤１１０を設けた構成になっている点が前記したぱちんこ遊技機Ｅのものと異なっているので、その遊技盤について主に説明し、遊技機本体，中枠については前記したものと同等のものに同一の符号を付してそれらの詳細な説明を省略する。
【０１８３】
　遊技盤１１０は、上記した遊技盤９０と正面視において同形同大の方形板体であり、これの正面には、多数本の遊技くぎ（図示しない）が所要の領域に適宜配設されているとともに、風車、スルーチャッカ、電動チューリップを近設した始動口、アタッカやアウト口等が適宜設けられている。
【０１８４】
　この遊技盤１１０の左右両側部のうちの一方の上部であって、中枠６０のキーシリンダ５０（２１）に対向する位置には、上記したものと同等の構成からなるキーケース２０が配設されているとともに、これの下部近傍であって、中枠６０のキーケース２０に対向する位置には、キー挿入孔１１１が形成されている。
【０１８５】
　本実施形態においては、封印用キー１８、中枠６０のキーケース２０及び本体２のキーシリンダ５０（２１）により、前記した封印手段Ｂ１〜Ｂ５と同等の構成からなる封印手段Ｂ６を構成している。
　また、封印用キー１８、中枠６０のキーシリンダ５０（２１）及び遊技盤１１０のキーケース２０により、前記した封印手段Ｄ１，Ｄ２と同等の構成からなる交換体用の封印手段Ｄ３を構成している。
【０１８６】
　次に、上記した本体２、中枠６０及び遊技盤１１０の組み立てについて説明する。まず、本体２と中枠６０とを固定して封止した後に、本体２に固定した中枠６０に遊技盤１１０を固定して封止する場合について、図３３を参照して説明する。
【０１８７】
＜中枠６０と本体２との固定と封止＞
　まず、中枠６０のキーケース２０に封印用キー１８を挿し込んで係止させておく。次に、その中枠６０を本体２の内側空間αに装着して固定する。この固定とともに、封印用キー１８が本体２のキーシリンダ５０（２１）に係止し、中枠６０と本体２とが封印手段Ｂ６により封印される。
【０１８８】
＜本体２に固定した中枠６０と遊技盤１１０との固定と封止＞
　遊技盤１１０のキーケース２０に封印用キー１８を挿し込んで係止させておく。封印用キー１８を挿し込んだ遊技盤１１０を中枠６０に装着して固定する。この固定により、封印用キー１８は中枠６０のキーシリンダ５０（２１）に係止し、遊技盤１１０と中枠６０とが封印手段Ｄ３により封印される。換言すると、遊技盤１１０と中枠６０とが固定されるとともに封止される。
【０１８９】
　遊技盤１１０に中枠６０を固定した後に、これを本体２に装着固定する場合について、図３４を参照して説明する。
＜遊技盤１１０と中枠６０との固定＞
　遊技盤１１０のキーケース２０に封印用キー１８を挿し込んで係止させておく。封印用キー１８を挿し込んだ遊技盤１１０を中枠６０に装着して固定する。この固定により、遊技盤１１０の封印用キー１８が中枠６０のキーシリンダ５０（２１）に係止する。これにより遊技盤１１０と中枠６０とが封印手段Ｄ３により封印される。
【０１９０】
＜遊技盤１１０に中枠６０を固定したものと本体２との固定と封止＞
　中枠６０のキーケース２０に封印用キー１８を挿し込んで係止させておく。封印用キー１８を挿し込んだ中枠６０を本体２の内側空間αに装着して固定する。。この固定により、封印用キー１８は本体２のキーシリンダ５０（２１）に係止し、これにより中枠６０と本体２とが封印手段Ｂ６によって封印される。換言すると、遊技盤１１０に中枠６０を固定したものが本体２に固定されるとともに封止される。
【０１９１】
　次に、本発明の第８の実施形態に係る封印手段Ｂ７について、図３５〜３８を参照して説明する。図３５は他例に係る封印用キーを示すものであり、（Ａ）はその側面図、（Ｂ）はその正面図、図３６は、主にキーケースとキーシリンダを中心とした拡大断面図、図３７は、キーケースとキーシリンダに封印用キーを係止した状態の拡大断面図、図３８は、封印用キーがこれの開封残痕部から破断した状態の拡大断面図である。
【０１９２】
　封印手段Ｂ７は、封印用キー１２０、フェースプレート１９、キーケース２０及びキーシリンダ５０（２１）を有して構成されている。なお、封印手段Ｂ７は、封印用キー１２０を除けば、上記した封印手段Ｂ１〜Ｂ６と同等の構成になっているので、ここでは、それらと同等のものに同一の符号を付して説明を省略する。
【０１９３】
　封印用キー１２０は光透過性の合成樹脂で一体に形成されており、それは、所要の長さと外径にした、キー本体である円柱形の軸１２１の一端部（挿入方向後端部）から他端部（挿入方向先端部）に向けて、第１の開封残痕部１２２、摘み１２３、第２の開封残痕部１２４、回転防止用突片１２５，１２５、第２のキー側係止片１２６，１２６、第１のキー側係止片１２７，１２７が順に形成されている。本実施形態においては、第２のキー側係止片１２６，１２６が第２のキー側係止部であり、第１のキー側係止片１２７，１２７が第１のキー側係止部であり、また、第１の開封残痕部１２２が、交換体の外部から視認できる位置に設けた開封残痕部である。
【０１９４】
　摘み１２３は、所要の厚みｔ３にした側面視縦長の直方体形に形成した摘み本体１２３ａの後端に、フェースプレート１９のキー挿入口３３よりも大径にした円板形の鍔部１２３ｂを形成したものであり、その摘み本体１２３ａには、前述したセキュリティ管理番号等の識別情報を記載したインサートプレート１２８が埋設されている。
【０１９５】
　なお、摘み本体１２３ａには、セキュリティ管理番号等の識別情報を記載した上記インサートプレート１２８を埋設する他、同様のセキュリティ管理番号等の識別情報を記憶させた前述したものと同等のＩＣタグ（ＲＦ−ＩＤ）やＩＣチップ等を埋設することができる。
【０１９６】
　第１の開封残痕部１２２は、摘み本体１２３ａと同じ所要の厚みｔ３にしかつ側面視上下逆向きのＬ字形のものであり、その摘み１２３の上端に起立して形成された一定幅の連結部１２２ａと、これの上端部に横長にして形成された固定部１２２ｂとからなる。
【０１９７】
　連結部１２２ａと摘み本体１２３ａとの境界には破断用溝１２２ｃが形成されており、それは、連結部１２２ａ若しくは固定部１２２ｂ又はそれら双方に、本体２と遊技盤１とを封止する封止部による封止を解こうとする力が摘み１２３を介して加えられることにより、その破断用溝１２２ｃにおいて破断するようになっている。換言すると、破断用溝１２２ｃに応力が集中しやすい構造にしている。なお、破断用溝１２２ｃは必ずしも必要ではなく、第１の開封残痕部１２２の一部が破断するようになっていればよい。
【０１９８】
　固定部１２２ｂは、横長の長方形にした基端片１２２ｄに、側面視矢印形の挿入片１２２ｅを突出して形成したものである。基端片１２２ｄや挿入片１２２ｅは、これらの厚みを互いに同一にし又は異ならせてもよい。
　挿入片１２２ｅは、基端片１２２ｄと一体に形成してもよいが、例えば後記する嵌合孔１ｆに残存した部分を取り除きやすいように、弾性変形容易な弾性材により形成することが好ましい。敷衍すると、基端片１２２ｄとは異なる材質のものにより挿入片１２２ｅを形成しておき、これを基端片１２２ｄに接着，溶着する等により取り付けた構成にしてもよい。
【０１９９】
　第２の開封残痕部１２４は、本体２に遊技盤１を封止する封止部による封止を解こうとする力が摘み１２３を介して加えられることにより、変形して開封の痕跡を残すものであり、封印用キー１２０の軸１２１の一部を、摘み１２３を捻る力によって破断する程度の細径にしているものである。
　なお、「変形」というときには、前述したように、摘み１２３を捻る以前の原形とは異なる形態になることをいい、上記した破断の他、破損や細く絞られるようなものを含む広い概念である。
【０２００】
　第１の開封残痕部１２２と第２の開封残痕部１２４とは、上述したように、本体２と遊技盤１とを封止する封止部による封止を解こうとする力が摘み１２３を介して加えられることにより変形して開封の痕跡を残すという点で共通するが、その力が摘み１２３を介して加えられることにより、ほぼ同時に破断するように設定している。
【０２０１】
　遊技盤１には、キーケース２０に挿入した封印用キー１２０の挿入片１２２ｅに対向する位置に、その挿入片１２２ｅを嵌合する嵌合孔１ｆが形成されている。
　この嵌合孔１ｆは、挿入片１２２ｅと正面視及び側面視においてほぼ同形になっており、これに挿入された挿入片１２２ｅの起立面１２２ｆ，１２２ｆに当接係止して、当該挿入片１２２ｅの抜き出しを阻止するように、封印用キー１２０の抜出し方向βと直交する係止面１ｇ，１ｇが形成されている。
【０２０２】
　次に、上記した封印用キー１２０を遊技盤１のキーケース２０に挿入する動作について説明する。
＜封印用キーのキーケースへの挿し込み＞
　封印用キー１２０を、遊技盤１に固定したキーケース２０のキー挿入口２９ａに差し込み始めると、その途中において、回転防止用突片１２５，１２５がキー回転防止用溝２９ｂ，２９ｂに嵌合して回転が阻止された状態になるとともに、第１のキー側係止片１２７，１２７が交換体側係止片２９ｄ，２９ｄに当接する。
【０２０３】
　第１のキー側係止片１２７，１２７が交換体側係止片２９ｄ，２９ｄに当接し、また、挿入片１２２ｅが嵌合孔１ｆの開口に当接した後は、封印用キー１２０の挿し込みに従って、第１のキー側係止片１２７，１２７が交換体側係止片２９ｄ，２９ｄを内側から外側に弾圧して弾性変形させて、それら交換体側係止片２９ｄ，２９ｄを押し広げる。
【０２０４】
　そして、第１のキー側係止片１２７，１２７が交換体側係止片２９ｄ，２９ｄを通過すると、それら交換体側係止片２９ｄ，２９ｄは元の状態に弾性復帰する。
　さらに、封印用キー１８を挿し込むと、挿入片１２２ｅが嵌合孔１ｆの開口に当接するのと同時に、第２のキー側係止片１２６，１２６も交換体側係止片２９ｄ，２９ｄに当接する。
【０２０５】
　挿入片１２２ｅが嵌合孔１ｆの開口に当接した後は、封印用キー１２０の挿し込みに従って、挿入片１２２ｅが当該嵌合孔１ｆに弾性変形しながら挿入される。
　そして、挿入片１２２ｅが嵌合孔１ｆに挿入し終わると、当該挿入片１２２ｅは元の状態に弾性復帰し、嵌合孔１ｆの係止面１ｇ，１ｇに起立面１２２ｆ，１２２ｆが当接して係止し、これにより、封印用キー１８は、キーケース２０からの抜き出しと回転が阻止された状態になる。
【０２０６】
＜封印用キーのキーシリンダへの挿し込み＞
　次に、封印用キー１２０を差し込んだキーケース２０を、キーシリンダ５０（２１）の正面側から嵌合するように接近させる。換言すると、遊技盤１を本体２の背面板１０に接近させる。
【０２０７】
　キーケース２０をキーシリンダ５０（２１）に挿し込み始めると、第１のキー側係止片１２７，１２７が非交換体側係止片５１ｂ，５１ｂに当接する。
【０２０８】
　第１のキー側係止片１２７，１２７が非交換体側係止片５１ｂ，５１ｂに当接した後は、封印用キー１８の挿し込みに従って、第１のキー側係止片１２７，１２７が非交換体側係止片５１ｂ，５１ｂを内側から外側に向けて弾性変形させ、それら非交換体側係止片５１ｂ，５１ｂを押し広げる。
【０２０９】
　そして、第１のキー側係止片１２７，１２７が非交換体側係止片５１ｂ，５１ｂを通過すると、それら非交換体側係止片５１ｂ，５１ｂが元の状態に弾性復帰し、それら非交換体側係止片５１ｂ，５１ｂに第１のキー側係止片１２７，１２７の垂直な係止面１２７ａ，１２７ａに当接した状態になる。
【０２１０】
　この状態においては、非交換体側係止片５１ｂ，５１ｂが第１のキー側係止片１２７，１２７の垂直な係止面１２７ａ，１２７ａに当接し、かつ、交換側係止片２９ｄ，２９ｄが第２のキー側係止片１２６，１２６の垂直な係止面１２６ａ，１２６ａに当接した状態になっているとともに、回転防止用突片１２５，１２５がキー回転防止用溝２９ｂ，２９ｂに挿入嵌合された状態になっている。
　これにより、封印用キー１２０は、キーケース２０及びキーシリンダ５０（２１）からの抜き出しと回転が阻止された状態になり、遊技盤１と本体２とが封止された状態になる。
【０２１１】
　次に、遊技盤を不正に取り外そうとしたときについて、図３８を参照して説明する。
　遊技盤固定具を操作して遊技盤１を取り外せる状態にし、また、封印手段Ｂ７による封印を解除しようとして、封印用キー１２０の摘み１２３をいずれかの方向に回転させると、軸１２１も同方向に一体に回転しようとするが、その軸１２１に形成した回転防止用突片１２５，１２５がキーケース２０のキー回転防止用溝２９ｂ，２９ｂに挿入嵌合されていることにより、当該軸１２１の回転が阻止される。
【０２１２】
　封印用キー１２０の摘み１２３をさらに回転させると、第１の開封残痕部１２２が破断用溝１２２ｃから破断するとともに、軸１２１に形成した第２の開封残痕部１２４も捻じ切られて破断する。
【０２１３】
　これにより、遊技盤１を不正に取り外そうとした痕跡が残り、不正行為が行われたことを早期に発見して迅速に対処できる。また、第１の開封残痕部１２２の挿入片１２２ｅの一部が嵌合孔１ｆ内に残存することになるので、その封印用キー１２０とは異なる模造の封印用キーで封印しようとしても、遊技盤１と本体２とを封止することができず、不正工作ができないようになっている。
　さらに、第１の開封残痕部１２２が遊技盤１の正面側に配置しているので、封印用キー１２０が破損していることを極めて容易に発見できるという利点がある。
【０２１４】
　図３９は、他例に係る封印用キーを示すものであり、（Ａ）はその側面図、（Ｂ）はその正面図である。なお、他例に係る封印用キーは、図３５に示した封印用キーと第１の開封残痕部の構成が異なることを除き、ほぼ同等の構成になっているので、同等のものに同一の符号を付してその詳細な説明を省略する。
【０２１５】
　他例に係る封印用キー１２０Ａは光透過性の合成樹脂で一体に形成されており、それは、所要の長さと外径にした円柱形の軸１２１の一端部（挿入方向後端部）から他端部（挿入方向先端部）に向けて、第１の開封残痕部１２８、摘み１２３、第２の開封残痕部１２４、回転防止用突片１２５，１２５、第２のキー側係止片１２６，１２６、第１のキー側係止片１２７，１２７を順に形成した構成において、前記した封印用キー１２０と同等のものである。
【０２１６】
　第１の開封残痕部１２８は、摘み本体１２３ａと同じ所要の厚みｔ３にしかつ側面視上下逆向きのＬ字形のものであり、その摘み１２３の上端に起立して形成された一定幅の連結部１２２ａと、これの上端部に横長にして形成された固定部１２２ｂとからなる。
【０２１７】
　固定部１２２ｂは、横長の長方形にした基端片１２２ｄに、側面視において横長の長方形にした挿入片１２２ｇを突出して形成したものである。なお、基端片１２２ｄや挿入片１２２ｇは、これらの厚みを互いに同一にし又は異ならせてもよい。
　遊技盤１には、挿入片１２２ｇと正面視及び側面視においてほぼ同形の嵌合孔を形成している。すなわち、挿入片１２２ｇを、側面視において横長の長方形に形成しているとともに、嵌合孔を挿入片１２２ｇと正面視及び側面視においてほぼ同形に形成しておくことにより、その嵌合孔内に残存した挿入片１２２ｇの一部分を容易に取り除くことができる。
【０２１８】
　第１の開封残痕部１２８と第２の開封残痕部１２４とは、前述したように、本体２と遊技盤１とを封止する封止部による封止を解こうとする力が摘み１２３を介して加えられることにより変形して開封の痕跡を残すという点で共通するが、その力が摘み１２３を介して加えられることにより、ほぼ同時に破断するように設定している。
【０２１９】
　機械式シャッタと、封印用キー検知センサとを設けた構成のぱちんこ遊技機Ｇについて、図４０，４１を参照して説明する。図４０は、主に封止確認窓孔に設けた機械式シャッタと、封印用キー検知センサとを説明するための要部断面図、図４１は、主に機械式シャッタと、封印用キー検知センサを主とした制御系統の概略ブロック図である。なお、前記した各実施形態において説明したものと同等のものについては、同一の符号を付してその詳細な説明を省略する。
【０２２０】
　本例に示す封止確認窓孔３ｂは、これに機械式シャッタ２００（以下「シャッタ」という。）を嵌め込んだ構成になっている。
　機械式シャッタ２００は、上下方向で移動自在に支持されている窓孔開閉部材２０１と、これを、封止確認窓孔３ｂを開いた開位置と、当該封止確認窓孔３ｂを閉じた閉位置との間で移動させる開閉駆動部２０２とを有して構成されており、主扉３内に配設されている。
　封止確認窓孔３ｂの背面側には、前述した他例に係る封印用キー１２０Ａを採用した封印手段Ｂ８が所要の間隔をおいて配設されており、それらの間には透光用の筒部材２０３が介設されている。すなわち、封止確認窓孔３ｂから封印用キー１２０Ａの摘み１２３を看取できるようになっている。
　なお、封印手段Ｂ８は、前述した封印手段Ｂ２〜Ｂ６と同等の構成からなるものである。すなわち、他例に係る封印用キー１２０Ａ、フェースプレート１９、キーケース２０及びキーシリンダ５０を有して構成されているものである。
【０２２１】
　遊技盤１の所要位置には、挿入片１２２ｄを嵌挿するための嵌合孔１ｈが形成されており、その嵌合孔１ｈには、これに挿入された挿入片１２２ｄを検知するための挿入片検知センサＳ１が設けられている。
　挿入片検知センサＳ１は、図４１に示すように、入力インターフェース２０４を介して主制御装置２０５の入力側に接続されている。また、その主制御装置２０５の出力側には、出力インターフェース２０６を介してランプ制御装置２０７及び照光部５３と、開閉駆動部２０２とが接続されている。なお、挿入片検知センサＳ１が、封印用キー１２０Ａを検知するための封印用キー検知センサである。
【０２２２】
　ところで、主制御装置２０５は、制御プログラム等が記憶されたＲＯＭ（Read Only Memory）２０９、その制御プログラムに従って本ぱちんこ遊技機Ｇの主要部の制御機能を有するコンピュータであるＣＰＵ２０８、及びこのＣＰＵ２０８のワーク用メモリとしてのＲＡＭ（Random access Memory）２１０が搭載されてなるものである。
【０２２３】
　本実施形態において、ＲＯＭ２０９には次の制御プログラムが記憶されている。
・所定の条件に従って封止確認窓孔３ｂを開閉するように、上記の機械式シャッタ２００の開閉駆動部２０２を駆動制御する機能（窓孔開閉制御手段）２０８ａを実現するためのシャッタ制御プログラム。
　「所定の条件」とは、例えばホールの営業時間内においては、前記封印用キー１２０Ａが見えないように窓孔開閉部材２０１を閉位置に移動し、また、営業時間外においては、その封印用キー１２０Ａが見えるように窓孔開閉部材２０１を閉位置に移動させることが考えられる。換言すると、予め設定した時刻になったときに窓孔開閉部材２０１を開閉制御する。
【０２２４】
　これにより、遊技者による遊技が想定される上記営業時間内においては、遊技者から封印用キー１２０Ａが見えないので、美観の低下を招くことなく、また、封印用キー１２０Ａの存在や封印個所を知られることがない。
【０２２５】
・封印用キー１２０Ａを抜き取られたことを挿入片検知センサＳ１によって検知したとき、ＬＥＤ５５の発光態様を別異のものに変化させる機能（発光態様変化手段）２１２を、ランプ制御装置２０４とともに実現するためのキー抜き取り検知プログラム。
【０２２６】
　具体的には、封印用キー１２０Ａを抜き取られていないときにはＬＥＤ５５を連続して点灯させ、封印用キー１２０Ａを抜き取られたときには消灯させている。この他、封印用キー１２０Ａを抜き取られる前後で点滅速度を異ならせる態様や封印用キー１２０Ａを抜き取られないときにはＬＥＤ５５を消灯しておき、封印用キー１２０Ａを抜き取られたときには連続若しくは一定の間隔で点灯させる等の各種の態様にすることができる。すなわち、封印用キー１２０Ａの抜き取り前後で異なる点滅態様となるように制御するようにしている。これにより、封印用キー１２０Ａが抜き取られたことを視覚的に容易に認識することができる。
【０２２７】
　なお、封印用キー１２０Ａが抜き取られたときに限らず、当該封印用キー１２０Ａが他のものに交換されたことを検知して、ＬＥＤ５５の点滅態様を抜き取られた前後の場合と同様にして異ならせることができる。また、ＬＥＤの他、他の公知の光源を採用できることは勿論である。「交換されたことの検知」は、例えばＩＣタグ（ＲＦ−ＩＤ）に書き込まれている情報を読み取ることにより行なうことができる。
【０２２８】
　また、封印用キー１２０Ａが抜き取られたことを検知した日時等の検知情報をＲＡＭ２１０に記憶する機能、封印用キー１２０Ａが抜き取られたことをホールコンピュータに送信する機能、又は図柄制御装置や音声制御装置等により封印用キー１２０Ａが抜き取られたことを報知する機能を実現する各制御プログラムを上記したＲＯＭ２０９に記憶しておき、それら各制御プログラムをＣＰＵ２０８に実行させるようにしてもよい。
【０２２９】
　上記した主制御装置１５１の入力側には、挿入片検知センサＳ１の他、電源回路２１１、集中管理装置、入力インターフェース２０４を介して前記始動口に入賞した遊技球を検知する始動入賞球検知センサ、大入賞球検知センサ、継続球検知センサ、その他入賞球検知センサ、通過入賞球検知センサ、遊技球払出検知センサ及びエラー検知センサ等（いずれも図示しない）が接続されている。
【０２３０】
　また、前記主制御装置２０５の出力側には、ランプ制御装置２０４の他、出力インターフェース２０６を介して、図柄制御装置，音声制御装置，払出制御装置，発射制御装置，及び可動物制御装置（いずれも図示しない）等が接続されている。
【０２３１】
　なお、本発明は前述した実施形態に限るものではなく、次のような変形実施が可能である。
・非交換体に単一の交換体を封止した例、非交換体に複数の交換体を重ね合わせるとともに、それらのうちの１つの交換体を封止した例について説明したが、非交換体とこれに重ね合わせた複数の交換体とを共通の封印手段により封止した構成にしてもよい。なお、「共通の封印手段」は１つに限らず、２つ以上設けた構成にすることができる。
【０２３２】
・上記においては、光透過性又は光非透過性の合成樹脂で一体に形成した封印用キー１８、１２０、１３０、１２０Ａについて説明したが、それらの封印用キーを２つ以上の部分に分割して形成しておき、それらを接合するようにしてもよい。なお、封印用キーを光透過性の合成樹脂で形成した場合には、その光透過性を保持しつつ接合する。
【０２３３】
・上記においては、開封残痕部に対し、封止を解こうとする力が加えられることにより、その開封残痕部が破断して開封の痕跡を残す例について説明したが、上記の力が加えられることによって、例えば開封残痕部が細く絞られるような変形を生じるようにしてもよい。
　この場合にも、上記した光源を設けたときには、開封残痕部での屈折率の変化等によって封印用キーの光り方が変化し、開封されたことが認識されやすくなる。
【０２３４】
　また、開封残痕部の変形は、破断，破損，細く絞られるような変形に限られるものではなく、封止の解除に伴って、非交換体、交換体又は封止部の少なくとも１つが破損することを含んでいればよい。
【０２３５】
・上記においては、単一の開封残痕部を封印用キーに形成したものの他、第１の開封残痕部と第２の開封残痕部とを形成した封印用キーについて説明したが、３つ以上の開封残痕部を封印用キーに形成した構成にしてもよい。
【０２３６】
・上記においては、非交換体側係止部をキーケースに形成するとともに、交換体側被係止部をキーシリンダに形成したものを例として説明したが、それら非交換体側係止部や交換体側係止部を遊技盤や本体に直接形成してもよい。
　また、上記においては、キー挿入口を、キーケースとキーシリンダに形成したものを例として説明したが、当該キー挿入口を遊技盤や遊技機本体に直接形成してもよい。
【０２３７】
・上記においては、開封残痕部の変形の例として、封印用キーの一部が破損するものについて説明したが、これに限るものではなく、非交換体若しくは交換体の少なくとも一部又は封止部のうち、少なくとも１つのものが封止の解除に伴って破損するように構成されていればよい。
【図面の簡単な説明】
【０２３８】
【図１】本発明の第１の実施形態に係るぱちんこ遊技機の正面図である。
【図２】同上のぱちんこ遊技機の主扉を取り外した状態の正面図である。
【図３】同上のぱちんこ遊技機の遊技機本体の斜視図である。
【図４】図２に示すＩ−Ｉ線に沿う部分断面図である。
【図５】封印用キーを示すものであり、（Ａ）はその側面図、（Ｂ）はその背面図である。
【図６】（Ａ）は同上の封印用キーの正面図、（Ｂ）はその平面図である。
【図７】キーケースを示すものであり、（Ａ）はその正面図、（Ｂ）はその断面図、（Ｃ）はその背面図である。
【図８】フェースプレートを示すものであり、（Ａ）はその正面図、（Ｂ）はその側面図である。
【図９】キーシリンダを示すものであり、（Ａ）はその正面図、（Ｂ）はその断面図、（Ｃ）はその背面図である。
【図１０】断面にして表したキーケースに封印用キーを差し込む前の様子を示す側面図である。
【図１１】断面にして表したキーケースに封印用キーを差し込んだ様子を示す側面図である。
【図１２】封印用キーを差し込んだキーケースを、キーシリンダに嵌合させる前の状態を示す断面図である。
【図１３】封印用キーを差し込んだキーケースを、キーシリンダに嵌合させた後の状態を示す断面図である。
【図１４】遊技盤と本体とを封印している封印用キーを破断させた状態の断面図である。
【図１５】封印用キーを破断させた後、本体から遊技盤を取り外す状態の断面図である。
【図１６】キーシリンダから破断した封印用キーの残部を取り出す前の状態を示す断面図である。
【図１７】キーシリンダから破断した封印用キーの残部を取り出した後の状態を示す断面図である。
【図１８】他例に係るキーシリンダの断面図である。
【図１９】本発明の第２の実施形態に係る封印手段を示すものであり、封印用キーを破断させていない状態の断面図である。
【図２０】同上の封印手段を示すものであり、封印用キーを破断させた状態の断面図である。
【図２１】本発明の第３の実施形態に係る封印手段の断面図である。
【図２２】封印用キーを取り去った状態の本発明の第３の実施形態に係る封印手段の断面図である。
【図２３】第４の実施形態に係る封印手段の断面図である。
【図２４】他例に係る封印用キーを破断させた状態の第４の実施形態に係る封印手段の断面図である。
【図２５】本発明の第２の実施形態に係るぱちんこ遊技機の分解斜視図である。
【図２６】同上の第２の実施形態に係るぱちんこ遊技機の概略側面図である。
【図２７】同上のぱちんこ遊技機を分解して示す側面図である。
【図２８】同上のぱちんこ遊技機に用いられる遊技盤ユニットの斜視図である。
【図２９】同上の遊技盤ユニットの分解斜視図である。
【図３０】遊技機本体に固定した中枠に、遊技盤ユニットを装着固定する様子を示す側面図である。
【図３１】遊技盤ユニットを固定した中枠を、遊技機本体に装着固定する様子を示す側面図である。
【図３２】本発明の第３の実施形態に係るぱちんこ遊技機の概略側面図である。
【図３３】同上のぱちんこ遊技機の遊技機本体に固定した中枠に、遊技盤を装着固定する前の様子を示す概略側面図である。
【図３４】同上のぱちんこ遊技機の遊技盤を固定した中枠を、遊技機本体に装着固定する前の様子を示す概略側面図である。
【図３５】他例に係る封印用キーを示すものであり、（Ａ）はその側面図、（Ｂ）はその正面図である。
【図３６】主にキーケースとキーシリンダを中心とした拡大断面図である。
【図３７】キーケースとキーシリンダに封印用キーを係止した状態の拡大断面図である。
【図３８】封印用キーがこれの開封残痕部から破断した状態の拡大断面図である。
【図３９】他例に係る封印用キーを示すものであり、（Ａ）はその側面図、（Ｂ）はその正面図である。
【図４０】主に封止確認窓孔に設けた機械式シャッタと、封印用キー検知センサとを説明するための要部断面図である。
【図４１】主に機械式シャッタと、封印用キー検知センサを主とした制御系統の概略ブロック図である。
【符号の説明】
【０２３９】
１，９０，１１０　　　　　　　　遊技盤（交換体）
２　　　　　　　　　　　　　　　遊技機本体（非交換体）
１８，１２０，１２０Ａ，１３０　封印用キー
２０，２０Ａ，２０Ｂ　　　　　　キーケース
２１，５０　　　　　　　　　　　キーシリンダ
２６　　　　　　　　　　　　　　第１のキー側係止片（第１のキー側係止部）
２７　　　　　　　　　　　　　　第２のキー側係止片（第２のキー側係止部）
２８　　　　　　　　　　　　　　開封残痕部
２９ａ，３４ａ，４０ａ　　　　　キー挿入口
３３ｃ，３３ｃ　　　　　　　　　交換体側係止片（交換体側係止部）
３７ｂ，３７ｂ　　　　　　　　　非交換体側係止片（非交換体側係止部）
５３　　　　　　　　　　　　　　照光部
５５　　　　　　　　　　　　　　ＬＥＤ（光源）
６０　　　　　　　　　　　　　　中枠（交換体）
７０　　　　　　　　　　　　　　遊技盤ユニット（交換体）
８０　　　　　　　　　　　　　　飾り板（交換体）
１００　　　　　　　　　　　　　取付けアッシ
１２２　　　　　　　　　　　　　第１の開封残痕部
１２４　　　　　　　　　　　　　第２の開封残痕部
Ｂ１〜Ｂ７　　　　　　　　　　　封印手段
Ｄ１〜Ｄ３　　　　　　　　　　　交換体用の封印手段
Ｃ　　　　　　　　　　　　　　　封止部
【図１】
2004105720.tif 000003
【図２】
2004105720.tif 000004
【図３】
2004105720.tif 000005
【図４】
2004105720.tif 000006
【図５】
2004105720.tif 000007
【図６】
2004105720.tif 000008
【図７】
2004105720.tif 000009
【図８】
2004105720.tif 000010
【図９】
2004105720.tif 000011
【図１０】
2004105720.tif 000012
【図１１】
2004105720.tif 000013
【図１２】
2004105720.tif 000014
【図１３】
2004105720.tif 000015
【図１４】
2004105720.tif 000016
【図１５】
2004105720.tif 000017
【図１６】
2004105720.tif 000018
【図１７】
2004105720.tif 000019
【図１８】
2004105720.tif 000020
【図１９】
2004105720.tif 000021
【図２０】
2004105720.tif 000022
【図２１】
2004105720.tif 000023
【図２２】
2004105720.tif 000024
【図２３】
2004105720.tif 000025
【図２４】
2004105720.tif 000026
【図２５】
2004105720.tif 000027
【図２６】
2004105720.tif 000028
【図２７】
2004105720.tif 000029
【図２８】
2004105720.tif 000030
【図２９】
2004105720.tif 000031
【図３０】
2004105720.tif 000032
【図３１】
2004105720.tif 000033
【図３２】
2004105720.tif 000034
【図３３】
2004105720.tif 000035
【図３４】
2004105720.tif 000036
【図３５】
2004105720.tif 000037
【図３６】
2004105720.tif 000038
【図３７】
2004105720.tif 000039
【図３８】
2004105720.tif 000040
【図３９】
2004105720.tif 000041
【図４０】
2004105720.tif 000042
【図４１】
2004105720.tif 000043